(57)【特許請求の範囲】
【請求項１】
複数の機器に対して、対象情報に含まれる１または複数の要素情報を提供可能な情報配信装置であって、
前記機器が前記情報配信装置に通知すべき前記対象情報の識別情報を、前記機器ごとに設定する設定部と、
前記設定部が設定した前記識別情報を、対応の前記機器へ通知する通知部と、
前記要素情報を記憶し、かつ前記機器から通知された前記識別情報、および前記要素情報を指定する指定情報を、前記識別情報ごとに記憶する記憶部と、
前記記憶部に記憶された前記識別情報および前記指定情報に基づいて、前記機器が要求する前記対象情報の前記要素情報を特定し、特定した前記要素情報を前記機器へ提供する提供部とを備える、情報配信装置。
【請求項２】
前記提供部は、前記機器からの情報要求を受けると、前記記憶部に記憶された前記識別情報および前記指定情報を参照することにより、前記情報要求の示す前記識別情報に対応する前記要素情報を特定し、特定した前記要素情報を前記機器へ提供する、請求項１に記載の情報配信装置。
【請求項３】
複数の機器に対して複数の対象情報を提供可能な情報配信装置であって、
前記機器が前記情報配信装置に通知すべき前記対象情報の識別情報を、前記機器ごとに設定する設定部と、
前記設定部が設定した前記識別情報を、対応の前記機器へ通知する通知部と、
前記複数の対象情報を記憶し、かつ前記機器から通知された前記識別情報を、前記機器ごとに記憶する記憶部と、
前記記憶部に記憶された前記識別情報に基づいて、前記機器が要求する前記対象情報を特定し、特定した前記対象情報を前記機器へ提供する提供部とを備える、情報配信装置。
【請求項４】
前記提供部は、前記機器からの情報要求を受けると、前記記憶部に記憶された前記識別情報を参照することにより、前記情報要求の示す前記識別情報に対応する前記対象情報を特定し、特定した前記対象情報を前記機器へ提供する、請求項３に記載の情報配信装置。
【請求項５】
複数の機器に対して、対象情報に含まれる１または複数の要素情報を提供可能な情報配信装置であって、
前記要素情報を記憶し、かつ前記機器から通知された前記要素情報を指定する指定情報、および前記機器の識別情報を、前記識別情報ごとに記憶する記憶部と、
前記記憶部に記憶された前記指定情報および前記識別情報に基づいて、前記機器が要求する前記対象情報の前記要素情報を特定し、特定した前記要素情報を前記機器へ提供する提供部とを備える、情報配信装置。
【請求項６】
前記提供部は、前記機器からの情報要求を受けると、前記記憶部に記憶された前記指定情報および前記識別情報を参照することにより、前記情報要求の送信元の前記機器に対応する前記要素情報を特定し、特定した前記要素情報を前記機器へ提供する、請求項５に記載の情報配信装置。
【請求項７】
前記対象情報は、時系列の複数の前記要素情報を含み、新たな要素情報が定期的または不定期に作成される、請求項１、請求項２、請求項５および請求項６のいずれか１項に記載の情報配信装置。
【請求項８】
複数の機器と、
前記複数の機器に対して、対象情報に含まれる１または複数の要素情報を提供可能な情報配信装置とを備え、
前記情報配信装置は、前記機器が前記情報配信装置に通知すべき前記対象情報の識別情報を、前記機器ごとに設定し、設定した前記識別情報を、対応の前記機器へ通知し、
前記機器は、前記情報配信装置から通知された前記識別情報、および前記要素情報を指定する指定情報を前記情報配信装置へ通知し、
前記情報配信装置は、前記要素情報を記憶し、かつ前記機器から通知された前記識別情報および前記指定情報を、前記識別情報ごとに記憶し、
前記情報配信装置は、記憶した前記識別情報および前記指定情報に基づいて、前記機器が要求する前記対象情報の前記要素情報を特定し、特定した前記要素情報を前記機器へ提供する、情報配信システム。
【請求項９】
複数の機器と、
前記複数の機器に対して複数の対象情報を提供可能な情報配信装置とを備え、
前記情報配信装置は、前記機器が前記情報配信装置に通知すべき前記対象情報の識別情報を、前記機器ごとに設定し、設定した前記識別情報を、対応の前記機器へ通知し、
前記機器は、前記情報配信装置から通知された前記識別情報を前記情報配信装置へ通知し、
前記情報配信装置は、前記複数の対象情報を記憶し、かつ前記機器から通知された前記識別情報を、前記機器ごとに記憶し、
前記情報配信装置は、記憶した前記識別情報に基づいて、前記機器が要求する前記対象情報を特定し、特定した前記対象情報を前記機器へ提供する、情報配信システム。
【請求項１０】
複数の機器と、
前記複数の機器に対して、対象情報に含まれる１または複数の要素情報を提供可能な情報配信装置とを備え、
前記機器は、前記要素情報を指定する指定情報を前記情報配信装置へ通知し、
前記情報配信装置は、前記要素情報を記憶し、かつ前記機器から通知された前記要素情報を指定する指定情報、および前記機器の識別情報を、前記識別情報ごとに記憶し、
前記情報配信装置は、前記記憶した前記指定情報および前記識別情報に基づいて、前記機器が要求する前記対象情報の前記要素情報を特定し、特定した前記要素情報を前記機器へ提供する、情報配信システム。
【請求項１１】
複数の機器と、前記複数の機器に対して、対象情報に含まれる１または複数の要素情報を提供可能であり、前記要素情報を記憶する情報配信装置とを備える情報配信システムにおける情報配信方法であって、
前記情報配信装置が、前記機器が前記情報配信装置に通知すべき前記対象情報の識別情報を、前記機器ごとに設定するステップと、
前記情報配信装置が、設定した前記識別情報を、対応の前記機器へ通知するステップと、
前記機器が、前記情報配信装置から通知された前記識別情報、および前記要素情報を指定する指定情報を前記情報配信装置へ通知するステップと、
前記情報配信装置が、前記機器から通知された前記識別情報および前記指定情報を、前記識別情報ごとに記憶するステップと、
前記情報配信装置が、記憶した前記識別情報および前記指定情報に基づいて、前記機器が要求する前記対象情報の前記要素情報を特定し、特定した前記要素情報を前記機器へ提供するステップとを含む、情報配信方法。
【請求項１２】
複数の機器と、前記複数の機器に対して複数の対象情報を提供可能であり、前記複数の対象情報を記憶する情報配信装置とを備える情報配信システムにおける情報配信方法であって、
前記情報配信装置が、前記機器が前記情報配信装置に通知すべき前記対象情報の識別情報を、前記機器ごとに設定するステップと、
前記情報配信装置が、設定した前記識別情報を、対応の前記機器へ通知するステップと、
前記機器が、前記情報配信装置から通知された前記識別情報を前記情報配信装置へ通知するステップと、
前記情報配信装置が、前記機器から通知された前記識別情報を、前記機器ごとに記憶するステップと、
前記情報配信装置が、記憶した前記識別情報に基づいて、前記機器が要求する前記対象情報を特定し、特定した前記対象情報を前記機器へ提供するステップとを含む、情報配信方法。
【請求項１３】
複数の機器と、前記複数の機器に対して、対象情報に含まれる１または複数の要素情報を提供可能であり、前記要素情報を記憶する情報配信装置とを備える情報配信システムにおける情報配信方法であって、
前記機器が、前記要素情報を指定する指定情報を前記情報配信装置へ通知するステップと、
前記情報配信装置が、前記機器から通知された前記要素情報を指定する指定情報、および前記機器の識別情報を、前記識別情報ごとに記憶するステップと、
前記情報配信装置が、記憶した前記指定情報および前記識別情報に基づいて、前記機器が要求する前記対象情報の前記要素情報を特定し、特定した前記要素情報を前記機器へ提供するステップとを含む、情報配信方法。
【請求項１４】
複数の機器に対して、対象情報に含まれる１または複数の要素情報を提供可能であり、前記要素情報を記憶する情報配信装置において用いられる情報配信プログラムであって、
コンピュータに、
前記機器が前記情報配信装置に通知すべき前記対象情報の識別情報を、前記機器ごとに設定するステップと、
設定した前記識別情報を、対応の前記機器へ通知するステップと、
前記機器から通知された前記識別情報、および前記要素情報を指定する指定情報を、前記識別情報ごとに記憶するステップと、
記憶した前記識別情報および前記指定情報に基づいて、前記機器が要求する前記対象情報の前記要素情報を特定し、特定した前記要素情報を前記機器へ提供するステップとを実行させるための、情報配信プログラム。
【請求項１５】
複数の機器に対して複数の対象情報を提供可能であり、前記複数の対象情報を記憶する情報配信装置において用いられる情報配信プログラムであって、
コンピュータに、
前記機器が前記情報配信装置に通知すべき前記対象情報の識別情報を、前記機器ごとに設定するステップと、
設定した前記識別情報を、対応の前記機器へ通知するステップと、
前記機器から通知された前記識別情報を、前記機器ごとに記憶するステップと、
記憶した前記識別情報に基づいて、前記機器が要求する前記対象情報を特定し、特定した前記対象情報を前記機器へ提供するステップとを実行させるための、情報配信プログラム。
【請求項１６】
複数の機器に対して、対象情報に含まれる１または複数の要素情報を提供可能であり、前記要素情報を記憶する情報配信装置において用いられる情報配信プログラムであって、
コンピュータに、
前記機器から通知された前記要素情報を指定する指定情報、および前記機器の識別情報を、前記識別情報ごとに記憶するステップと、
記憶した前記指定情報および前記識別情報に基づいて、前記機器が要求する前記対象情報の前記要素情報を特定し、特定した前記要素情報を前記機器へ提供するステップとを実行させるための、情報配信プログラム。
【発明の詳細な説明】
【技術分野】
【０００１】
本発明は、情報配信装置、情報配信システム、情報配信方法および情報配信プログラムに関し、特に、複数の機器に対して情報の提供を行う情報配信装置、情報配信システム、情報配信方法および情報配信プログラムに関する。
【背景技術】
【０００２】
一般家庭およびオフィス等において、各種電気機器と通信することにより複数の電気機器を管理する機器管理システムが開発されている（たとえば、「ＥＣＨＯＮＥＴ  Ｌｉｔｅ規格書  Ｖｅｒ１．０１」、エコーネットコンソーシアム、２０１２年３月５日発行（非特許文献１）参照）。
【先行技術文献】
【非特許文献】
【０００３】
【非特許文献１】「ＥＣＨＯＮＥＴ  Ｌｉｔｅ規格書  Ｖｅｒ１．１０」、エコーネットコンソーシアム、２０１３年５月３１日発行
【発明の概要】
【発明が解決しようとする課題】
【０００４】
上記のような機器管理システムでは、各種電気機器を管理する機器管理装置が、特定の電気機器を指定して情報の送信または受信を行うことにより、電気機器の管理が行われる。
【０００５】
ここで、機器管理装置が各種電気機器に対して情報を送信する際、まず、電気機器が取得したい情報を指定して機器管理装置へ要求すると、機器管理装置が指定された情報を電気機器へ送信する。
【０００６】
しかしながら、機器管理装置により管理される電気機器が複数存在する場合、各種電気機器が任意のタイミングで情報の指定および要求を行うため、複数の電気機器による情報の指定および要求が近いタイミングで行われることがある。そして、たとえば、ある電気機器による情報の指定と要求との間に他の電気機器による情報の指定が行われるような場合には、先に情報の指定を行った電気機器に対して、指定された情報と異なる情報が送信されてしまう可能性がある。
【０００７】
この発明は、上述の課題を解決するためになされたもので、その目的は、複数の機器に対して情報を提供する構成において、各機器が指定した情報と異なる情報が各機器に提供されることを防ぐことができる情報配信装置、情報配信システム、情報配信方法および情報配信プログラムを提供することである。
【課題を解決するための手段】
【０００８】
（１）この発明のある局面に係る情報配信装置は、複数の機器に対して、対象情報に含まれる１または複数の要素情報を提供可能な情報配信装置であって、前記機器が前記情報配信装置に通知すべき前記対象情報の識別情報を、前記機器ごとに設定する設定部と、前記設定部が設定した前記識別情報を、対応の前記機器へ通知する通知部と、前記機器から通知された前記識別情報、および前記要素情報を指定する指定情報を、前記識別情報ごとに記憶する記憶部と、前記記憶部に記憶された前記識別情報および前記指定情報に基づいて、前記機器が要求する前記対象情報の前記要素情報を特定し、特定した前記要素情報を前記機器へ提供する提供部とを備える。
【０００９】
（３）この発明の別の局面に係る情報配信装置は、複数の機器に対して複数の対象情報を提供可能な情報配信装置であって、前記機器が前記情報配信装置に通知すべき前記対象情報の識別情報を、前記機器ごとに設定する設定部と、前記設定部が設定した前記識別情報を、対応の前記機器へ通知する通知部と、前記機器から通知された前記識別情報を、前記機器ごとに記憶する記憶部と、前記記憶部に記憶された前記識別情報に基づいて、前記機器が要求する前記対象情報を特定し、特定した前記対象情報を前記機器へ提供する提供部とを備える。
【００１０】
（５）この発明の別の局面に係る情報配信装置は、複数の機器に対して、対象情報に含まれる１または複数の要素情報を提供可能な情報配信装置であって、前記機器から通知された前記要素情報を指定する指定情報、および前記機器の識別情報を、前記識別情報ごとに記憶する記憶部と、前記記憶部に記憶された前記指定情報および前記識別情報に基づいて、前記機器が要求する前記対象情報の前記要素情報を特定し、特定した前記要素情報を前記機器へ提供する提供部とを備える。
【００１１】
（７）この発明の別の局面に係る情報配信装置は、複数の機器に対して複数の対象情報を提供可能な情報配信装置であって、前記対象情報と前記機器の識別情報との対応関係を記憶する記憶部と、前記記憶部に記憶された前記対応関係に基づいて、前記機器が要求する前記対象情報を特定し、特定した前記対象情報を前記機器へ提供する提供部とを備える。
【００１２】
（１０）この発明のある局面に係る情報配信システムは、複数の機器と、前記複数の機器に対して、対象情報に含まれる１または複数の要素情報を提供可能な情報配信装置とを備え、前記情報配信装置は、前記機器が前記情報配信装置に通知すべき前記対象情報の識別情報を、前記機器ごとに設定し、設定した前記識別情報を、対応の前記機器へ通知し、前記機器は、前記情報配信装置から通知された前記識別情報、および前記要素情報を指定する指定情報を前記情報配信装置へ通知し、前記情報配信装置は、前記機器から通知された前記識別情報および前記指定情報を、前記識別情報ごとに記憶し、前記情報配信装置は、記憶した前記識別情報および前記指定情報に基づいて、前記機器が要求する前記対象情報の前記要素情報を特定し、特定した前記要素情報を前記機器へ提供する。
【００１３】
（１１）この発明の別の局面に係る情報配信システムは、複数の機器と、前記複数の機器に対して複数の対象情報を提供可能な情報配信装置とを備え、前記情報配信装置は、前記機器が前記情報配信装置に通知すべき前記対象情報の識別情報を、前記機器ごとに設定し、設定した前記識別情報を、対応の前記機器へ通知し、前記機器は、前記情報配信装置から通知された前記識別情報を前記情報配信装置へ通知し、前記情報配信装置は、前記機器から通知された前記識別情報を、前記機器ごとに記憶し、前記情報配信装置は、記憶した前記識別情報に基づいて、前記機器が要求する前記対象情報を特定し、特定した前記対象情報を前記機器へ提供する。
【００１４】
（１２）この発明の別の局面に係る情報配信システムは、複数の機器と、前記複数の機器に対して、対象情報に含まれる１または複数の要素情報を提供可能な情報配信装置とを備え、前記機器は、前記要素情報を指定する指定情報を前記情報配信装置へ通知し、前記情報配信装置は、前記機器から通知された前記要素情報を指定する指定情報、および前記機器の識別情報を、前記識別情報ごとに記憶し、前記情報配信装置は、前記記憶した前記指定情報および前記識別情報に基づいて、前記機器が要求する前記対象情報の前記要素情報を特定し、特定した前記要素情報を前記機器へ提供する。
【００１５】
（１３）この発明の別の局面に係る情報配信システムは、複数の機器と、前記複数の機器に対して複数の対象情報を提供可能な情報配信装置とを備え、前記情報配信装置は、前記対象情報と前記機器の識別情報との対応関係を記憶し、前記機器は、前記対象情報を前記情報配信装置へ要求し、前記情報配信装置は、記憶した前記対応関係に基づいて、前記機器が要求する前記対象情報を特定し、特定した前記対象情報を前記機器へ提供する。
【００１６】
（１４）この発明のある局面に係る情報配信方法は、複数の機器と、前記複数の機器に対して、対象情報に含まれる１または複数の要素情報を提供可能な情報配信装置とを備える情報配信システムにおける情報配信方法であって、前記情報配信装置が、前記機器が前記情報配信装置に通知すべき前記対象情報の識別情報を、前記機器ごとに設定するステップと、前記情報配信装置が、設定した前記識別情報を、対応の前記機器へ通知するステップと、前記機器が、前記情報配信装置から通知された前記識別情報、および前記要素情報を指定する指定情報を前記情報配信装置へ通知するステップと、前記情報配信装置が、前記機器から通知された前記識別情報および前記指定情報を、前記識別情報ごとに記憶するステップと、前記情報配信装置が、記憶した前記識別情報および前記指定情報に基づいて、前記機器が要求する前記対象情報の前記要素情報を特定し、特定した前記要素情報を前記機器へ提供するステップとを含む。
【００１７】
（１５）この発明の別の局面に係る情報配信方法は、複数の機器と、前記複数の機器に対して複数の対象情報を提供可能な情報配信装置とを備える情報配信システムにおける情報配信方法であって、前記情報配信装置が、前記機器が前記情報配信装置に通知すべき前記対象情報の識別情報を、前記機器ごとに設定するステップと、前記情報配信装置が、設定した前記識別情報を、対応の前記機器へ通知するステップと、前記機器が、前記情報配信装置から通知された前記識別情報を前記情報配信装置へ通知するステップと、前記情報配信装置が、前記機器から通知された前記識別情報を、前記機器ごとに記憶するステップと、前記情報配信装置が、記憶した前記識別情報に基づいて、前記機器が要求する前記対象情報を特定し、特定した前記対象情報を前記機器へ提供するステップとを含む。
【００１８】
（１６）この発明の別の局面に係る情報配信方法は、複数の機器と、前記複数の機器に対して、対象情報に含まれる１または複数の要素情報を提供可能な情報配信装置とを備える情報配信システムにおける情報配信方法であって、前記機器が、前記要素情報を指定する指定情報を前記情報配信装置へ通知するステップと、前記情報配信装置が、前記機器から通知された前記要素情報を指定する指定情報、および前記機器の識別情報を、前記識別情報ごとに記憶するステップと、前記情報配信装置が、記憶した前記指定情報および前記識別情報に基づいて、前記機器が要求する前記対象情報の前記要素情報を特定し、特定した前記要素情報を前記機器へ提供するステップとを含む。
【００１９】
（１７）この発明の別の局面に係る情報配信方法は、複数の機器と、前記複数の機器に対して複数の対象情報を提供可能な情報配信装置とを備える情報配信システムにおける情報配信方法であって、前記情報配信装置が、前記対象情報と前記機器の識別情報との対応関係を記憶するステップと、前記機器が、前記対象情報を前記情報配信装置へ要求するステップと、前記情報配信装置が、記憶した前記対応関係に基づいて、前記機器が要求する前記対象情報を特定し、特定した前記対象情報を前記機器へ提供するステップとを含む。
【００２０】
（１８）この発明のある局面に係る情報配信プログラムは、複数の機器に対して、対象情報に含まれる１または複数の要素情報を提供可能な情報配信装置において用いられる情報配信プログラムであって、コンピュータに、前記機器が前記情報配信装置に通知すべき前記対象情報の識別情報を、前記機器ごとに設定するステップと、設定した前記識別情報を、対応の前記機器へ通知するステップと、前記機器から通知された前記識別情報、および前記要素情報を指定する指定情報を、前記識別情報ごとに記憶するステップと、記憶した前記識別情報および前記指定情報に基づいて、前記機器が要求する前記対象情報の前記要素情報を特定し、特定した前記要素情報を前記機器へ提供するステップとを実行させるためのプログラムである。
【００２１】
（１９）この発明の別の局面に係る情報配信プログラムは、複数の機器に対して複数の対象情報を提供可能な情報配信装置において用いられる情報配信プログラムであって、コンピュータに、前記機器が前記情報配信装置に通知すべき前記対象情報の識別情報を、前記機器ごとに設定するステップと、設定した前記識別情報を、対応の前記機器へ通知するステップと、前記機器から通知された前記識別情報を、前記機器ごとに記憶するステップと、記憶した前記識別情報に基づいて、前記機器が要求する前記対象情報を特定し、特定した前記対象情報を前記機器へ提供するステップとを実行させるためのプログラムである。
【００２２】
（２０）この発明の別の局面に係る情報配信プログラムは、複数の機器に対して、対象情報に含まれる１または複数の要素情報を提供可能な情報配信装置において用いられる情報配信プログラムであって、コンピュータに、前記機器から通知された前記要素情報を指定する指定情報、および前記機器の識別情報を、前記識別情報ごとに記憶するステップと、記憶した前記指定情報および前記識別情報に基づいて、前記機器が要求する前記対象情報の前記要素情報を特定し、特定した前記要素情報を前記機器へ提供するステップとを実行させるためのプログラムである。
【００２３】
（２１）この発明の別の局面に係る情報配信プログラムは、複数の機器に対して複数の対象情報を提供可能な情報配信装置において用いられる情報配信プログラムであって、コンピュータに、前記対象情報と前記機器の識別情報との対応関係を記憶するステップと、記憶した前記対応関係に基づいて、前記機器が要求する前記対象情報を特定し、特定した前記対象情報を前記機器へ提供するステップとを実行させるためのプログラムである。
【００２４】
本発明は、このような特徴的な処理部を備える情報配信装置として実現することができるだけでなく、かかる特徴的な処理をステップとする情報配信方法として実現したりすることができる。また、このような特徴的な処理部を備える情報配信システムとして実現することができるだけでなく、かかるステップをコンピュータに実行させるためのプログラムとして実現したりすることができる。また、情報配信装置の一部又は全部を実現する半導体集積回路として実現することができる。
【発明の効果】
【００２５】
本発明によれば、複数の機器に対して情報を提供する構成において、各機器が指定した情報と異なる情報が各機器に提供されることを防ぐことができる。
【図面の簡単な説明】
【００２６】
【図１】図１は、本発明の第１の実施の形態に係る情報配信システムの構成を示す図である。
【図２】図２は、図１に示すスマートメータの構成を示す図である。
【図３】図３は、図２に示す設定部により生成されるインスタンスの具体例を示す図である。
【図４】図４は、図２に示す記憶部に記憶される、インスタンスコードとＩＤとの対応関係の具体例を示す図である。
【図５】図５は、本発明の第１の実施の形態に係る情報配信システムによる情報配信手順を定めたシーケンス図である。
【図６】図６は、本発明の第２の実施の形態に係る情報配信システムにおける電気機器の構成を示す図である。
【図７】図７は、図６に示す設定部により生成されるインスタンスの具体例を示す図である。
【図８】図８は、本発明の第２の実施の形態に係る情報配信システムによる情報配信手順を定めたシーケンス図である。
【図９】図９は、本発明の第３の実施の形態に係る情報配信システムの構成を示す図である。
【図１０】図１０は、図９に示す管理サーバの構成を示す図である。
【図１１】図１１は、図１０に示す設定部により生成されるインスタンスの具体例を示す図である。
【図１２】図１２は、本発明の第３の実施の形態に係る情報配信システムによる機器管理のための情報取得手順を定めたシーケンス図である。
【図１３】図１３は、本発明の第４の実施の形態に係る情報配信システムにおけるスマートメータの記憶部に記憶される、ＩＰアドレスと、機器種別情報と、ＩＤとの対応関係の具体例を示す図である。
【図１４】図１４は、本発明の第４の実施の形態に係る情報配信システムによる情報配信手順を定めたシーケンス図である。
【図１５】図１５は、本発明の第５の実施の形態に係る情報配信システムにおける電気機器の記憶部に記憶される、ＩＰアドレスと、機器種別情報と、ＩＤとの対応関係の具体例を示す図である。
【図１６】図１６は、本発明の第５の実施の形態に係る情報配信システムによる情報配信手順を定めたシーケンス図である。
【図１７】図１７は、本発明の第６の実施の形態に係る情報配信システムにおける管理サーバの記憶部に記憶される、ＩＰアドレスと、機器種別情報と、ＩＤとの対応関係の具体例を示す図である。
【図１８】図１８は、本発明の第６の実施の形態に係る情報配信システムによる情報配信手順を定めたシーケンス図である。
【発明を実施するための形態】
【００２７】
最初に、本発明の実施形態の内容を列記して説明する。
【００２８】
（１）本発明の実施の形態に係る情報配信装置は、複数の機器に対して、対象情報に含まれる１または複数の要素情報を提供可能な情報配信装置であって、前記機器が前記情報配信装置に通知すべき前記対象情報の識別情報を、前記機器ごとに設定する設定部と、前記設定部が設定した前記識別情報を、対応の前記機器へ通知する通知部と、前記機器から通知された前記識別情報、および前記要素情報を指定する指定情報を、前記識別情報ごとに記憶する記憶部と、前記記憶部に記憶された前記識別情報および前記指定情報に基づいて、前記機器が要求する前記対象情報の前記要素情報を特定し、特定した前記要素情報を前記機器へ提供する提供部とを備える。
【００２９】
このように、ある対象情報の要素情報を機器が指定する際に用いる当該対象情報の識別情報を機器ごとに設定する構成により、ある機器が指定した要素情報が対象情報における複数の要素情報のうちのいずれの要素情報であるかを正確に特定することができる。すなわち、各機器が指定した要素情報と異なる要素情報が各機器に提供されることを防ぐことができる。
【００３０】
また、情報配信装置が各機器に設定した識別情報を各機器から通知させることにより、要素情報を指定してきた各機器を別個に管理することができるため、ある機器が要素情報を指定した後に、当該機器の識別情報など当該機器に関する情報が変更された場合であっても、当該機器が指定した要素情報を正確に特定することができる。
【００３１】
（２）好ましくは、前記提供部は、前記機器からの情報要求を受けると、前記記憶部に記憶された前記識別情報および前記指定情報を参照することにより、前記情報要求の示す前記識別情報に対応する前記要素情報を特定し、特定した前記要素情報を前記機器へ提供する。
【００３２】
このような構成により、機器が情報配信装置に対して要素情報を指定した後に、当該機器が当該情報配信装置に対して情報要求を行う場合であっても、当該機器が指定した要素情報を正確に特定し、提供することができる。
【００３３】
（３）本発明の実施の形態に係る情報配信装置は、複数の機器に対して複数の対象情報を提供可能な情報配信装置であって、前記機器が前記情報配信装置に通知すべき前記対象情報の識別情報を、前記機器ごとに設定する設定部と、前記設定部が設定した前記識別情報を、対応の前記機器へ通知する通知部と、前記機器から通知された前記識別情報を、前記機器ごとに記憶する記憶部と、前記記憶部に記憶された前記識別情報に基づいて、前記機器が要求する前記対象情報を特定し、特定した前記対象情報を前記機器へ提供する提供部とを備える。
【００３４】
このように、ある対象情報を機器が指定する際に用いる当該対象情報の識別情報を機器ごとに設定する構成により、ある機器が指定した対象情報を複数の対象情報の中から正確に特定することができる。すなわち、各機器が指定した対象情報と異なる対象情報が各機器に提供されることを防ぐことができる。
【００３５】
また、情報配信装置が各機器に設定した識別情報を各機器から通知させることにより、対象情報を指定してきた各機器を別個に管理することができるため、ある機器が対象情報を指定した後に、当該機器の識別情報など当該機器に関する情報が変更された場合であっても、当該機器が指定した対象情報を正確に特定することができる。
【００３６】
（４）好ましくは、前記提供部は、前記機器からの情報要求を受けると、前記記憶部に記憶された前記識別情報を参照することにより、前記情報要求の示す前記識別情報に対応する前記対象情報を特定し、特定した前記対象情報を前記機器へ提供する。
【００３７】
このような構成により、機器が情報配信装置に対して対象情報を指定した後に、当該機器が当該情報配信装置に対して情報要求を行う場合であっても、当該機器が指定した対象情報を正確に特定し、提供することができる。
【００３８】
（５）本発明の実施の形態に係る情報配信装置は、複数の機器に対して、対象情報に含まれる１または複数の要素情報を提供可能な情報配信装置であって、前記機器から通知された前記要素情報を指定する指定情報、および前記機器の識別情報を、前記識別情報ごとに記憶する記憶部と、前記記憶部に記憶された前記指定情報および前記識別情報に基づいて、前記機器が要求する前記対象情報の前記要素情報を特定し、特定した前記要素情報を前記機器へ提供する提供部とを備える。
【００３９】
このような構成により、機器の識別情報に対応する指定情報を確認することで、当該機器が指定した要素情報が対象情報における複数の要素情報のうちのいずれの要素情報であるかを正確に特定することができる。すなわち、各機器が指定した要素情報と異なる要素情報が各機器に提供されることを防ぐことができる。
【００４０】
また、たとえば各機器に対して新たな情報の設定を行う必要がないため、簡易な構成および処理の情報配信装置を実現することができる。
【００４１】
（６）好ましくは、前記提供部は、前記機器からの情報要求を受けると、前記記憶部に記憶された前記指定情報および前記識別情報を参照することにより、前記情報要求の送信元の前記機器に対応する前記要素情報を特定し、特定した前記要素情報を前記機器へ提供する。
【００４２】
このような構成により、機器が情報配信装置に対して要素情報を指定した後に、当該機器が当該情報配信装置に対して情報要求を行う場合であっても、当該機器が指定した要素情報を正確に特定し、提供することができる。
【００４３】
（７）本発明の実施の形態に係る情報配信装置は、複数の機器に対して複数の対象情報を提供可能な情報配信装置であって、前記対象情報と前記機器の識別情報との対応関係を記憶する記憶部と、前記記憶部に記憶された前記対応関係に基づいて、前記機器が要求する前記対象情報を特定し、特定した前記対象情報を前記機器へ提供する提供部とを備える。
【００４４】
このような構成により、機器の識別情報に対応する対象情報を確認することで、当該機器が指定した対象情報を複数の対象情報の中から正確に特定することができる。すなわち、各機器が指定した対象情報と異なる対象情報が各機器に提供されることを防ぐことができる。
【００４５】
また、たとえば各機器に対して新たな情報の設定を行う必要がないため、簡易な構成および処理の情報配信装置を実現することができる。
【００４６】
（８）好ましくは、前記提供部は、前記機器からの情報要求を受けると、前記記憶部に記憶された前記対応関係を参照することにより、前記情報要求に含まれる前記識別情報に基づいて、前記情報要求の送信元の前記機器に対応する前記対象情報を特定し、特定した前記対象情報を前記機器へ提供する。
【００４７】
このような構成により、機器が情報配信装置に対して対象情報を指定した後に、当該機器が当該情報配信装置に対して情報要求を行う場合であっても、当該機器が指定した対象情報を正確に特定し、提供することができる。
【００４８】
（９）より好ましくは、前記対象情報は、時系列の複数の要素情報を含み、新たな前記要素情報が定期的または不定期に作成される。
【００４９】
このような構成により、時間の経過に伴って更新される情報を機器へ正しく提供することができる。
【００５０】
（１０）本発明の実施の形態に係る情報配信システムは、複数の機器と、前記複数の機器に対して、対象情報に含まれる１または複数の要素情報を提供可能な情報配信装置とを備え、前記情報配信装置は、前記機器が前記情報配信装置に通知すべき前記対象情報の識別情報を、前記機器ごとに設定し、設定した前記識別情報を、対応の前記機器へ通知し、前記機器は、前記情報配信装置から通知された前記識別情報、および前記要素情報を指定する指定情報を前記情報配信装置へ通知し、前記情報配信装置は、前記機器から通知された前記識別情報および前記指定情報を、前記識別情報ごとに記憶し、前記情報配信装置は、記憶した前記識別情報および前記指定情報に基づいて、前記機器が要求する前記対象情報の前記要素情報を特定し、特定した前記要素情報を前記機器へ提供する。
【００５１】
このように、ある対象情報の要素情報を機器が指定する際に用いる当該対象情報の識別情報を機器ごとに設定する構成により、ある機器が指定した要素情報が対象情報における複数の要素情報のうちのいずれの要素情報であるかを正確に特定することができる。すなわち、各機器が指定した要素情報と異なる要素情報が各機器に提供されることを防ぐことができる。
【００５２】
また、情報配信装置が各機器に設定した識別情報を各機器から通知させることにより、要素情報を指定してきた各機器を別個に管理することができるため、ある機器が要素情報を指定した後に、当該機器の識別情報など当該機器に関する情報が変更された場合であっても、当該機器が指定した要素情報を正確に特定することができる。
【００５３】
（１１）本発明の実施の形態に係る情報配信システムは、複数の機器と、前記複数の機器に対して複数の対象情報を提供可能な情報配信装置とを備え、前記情報配信装置は、前記機器が前記情報配信装置に通知すべき前記対象情報の識別情報を、前記機器ごとに設定し、設定した前記識別情報を、対応の前記機器へ通知し、前記機器は、前記情報配信装置から通知された前記識別情報を前記情報配信装置へ通知し、前記情報配信装置は、前記機器から通知された前記識別情報を、前記機器ごとに記憶し、前記情報配信装置は、記憶した前記識別情報に基づいて、前記機器が要求する前記対象情報を特定し、特定した前記対象情報を前記機器へ提供する。
【００５４】
このように、ある対象情報を機器が指定する際に用いる当該対象情報の識別情報を機器ごとに設定する構成により、ある機器が指定した対象情報を複数の対象情報の中から正確に特定することができる。すなわち、各機器が指定した対象情報と異なる対象情報が各機器に提供されることを防ぐことができる。
【００５５】
また、情報配信装置が各機器に設定した識別情報を各機器から通知させることにより、対象情報を指定してきた各機器を別個に管理することができるため、ある機器が対象情報を指定した後に、当該機器の識別情報など当該機器に関する情報が変更された場合であっても、当該機器が指定した対象情報を正確に特定することができる。
【００５６】
（１２）本発明の実施の形態に係る情報配信システムは、複数の機器と、前記複数の機器に対して、対象情報に含まれる１または複数の要素情報を提供可能な情報配信装置とを備え、前記機器は、前記要素情報を指定する指定情報を前記情報配信装置へ通知し、前記情報配信装置は、前記機器から通知された前記要素情報を指定する指定情報、および前記機器の識別情報を、前記識別情報ごとに記憶し、前記情報配信装置は、前記記憶した前記指定情報および前記識別情報に基づいて、前記機器が要求する前記対象情報の前記要素情報を特定し、特定した前記要素情報を前記機器へ提供する。
【００５７】
このような構成により、機器の識別情報に対応する指定情報を確認することで、当該機器が指定した要素情報が対象情報における複数の要素情報のうちのいずれの要素情報であるかを正確に特定することができる。すなわち、各機器が指定した要素情報と異なる要素情報が各機器に提供されることを防ぐことができる。
【００５８】
また、たとえば各機器に対して新たな情報の設定を行う必要がないため、簡易な構成および処理の情報配信システムを実現することができる。
【００５９】
（１３）本発明の実施の形態に係る情報配信システムは、複数の機器と、前記複数の機器に対して複数の対象情報を提供可能な情報配信装置とを備え、前記情報配信装置は、前記対象情報と前記機器の識別情報との対応関係を記憶し、前記機器は、前記対象情報を前記情報配信装置へ要求し、前記情報配信装置は、記憶した前記対応関係に基づいて、前記機器が要求する前記対象情報を特定し、特定した前記対象情報を前記機器へ提供する。
【００６０】
このような構成により、機器の識別情報に対応する対象情報を確認することで、当該機器が指定した対象情報を複数の対象情報の中から正確に特定することができる。すなわち、各機器が指定した対象情報と異なる対象情報が各機器に提供されることを防ぐことができる。
【００６１】
また、たとえば各機器に対して新たな情報の設定を行う必要がないため、簡易な構成および処理の情報配信システムを実現することができる。
【００６２】
（１４）本発明の実施の形態に係る情報配信方法は、複数の機器と、前記複数の機器に対して、対象情報に含まれる１または複数の要素情報を提供可能な情報配信装置とを備える情報配信システムにおける情報配信方法であって、前記情報配信装置が、前記機器が前記情報配信装置に通知すべき前記対象情報の識別情報を、前記機器ごとに設定するステップと、前記情報配信装置が、設定した前記識別情報を、対応の前記機器へ通知するステップと、前記機器が、前記情報配信装置から通知された前記識別情報、および前記要素情報を指定する指定情報を前記情報配信装置へ通知するステップと、前記情報配信装置が、前記機器から通知された前記識別情報および前記指定情報を、前記識別情報ごとに記憶するステップと、前記情報配信装置が、記憶した前記識別情報および前記指定情報に基づいて、前記機器が要求する前記対象情報の前記要素情報を特定し、特定した前記要素情報を前記機器へ提供するステップとを含む。
【００６３】
このように、ある対象情報の要素情報を機器が指定する際に用いる当該対象情報の識別情報を機器ごとに設定することにより、ある機器が指定した要素情報が対象情報における複数の要素情報のうちのいずれの要素情報であるかを正確に特定することができる。すなわち、各機器が指定した要素情報と異なる要素情報が各機器に提供されることを防ぐことができる。
【００６４】
また、情報配信装置が各機器に設定した識別情報を各機器から通知させることにより、要素情報を指定してきた各機器を別個に管理することができるため、ある機器が要素情報を指定した後に、当該機器の識別情報など当該機器に関する情報が変更された場合であっても、当該機器が指定した要素情報を正確に特定することができる。
【００６５】
（１５）本発明の実施の形態に係る情報配信方法は、複数の機器と、前記複数の機器に対して複数の対象情報を提供可能な情報配信装置とを備える情報配信システムにおける情報配信方法であって、前記情報配信装置が、前記機器が前記情報配信装置に通知すべき前記対象情報の識別情報を、前記機器ごとに設定するステップと、前記情報配信装置が、設定した前記識別情報を、対応の前記機器へ通知するステップと、前記機器が、前記情報配信装置から通知された前記識別情報を前記情報配信装置へ通知するステップと、前記情報配信装置が、前記機器から通知された前記識別情報を、前記機器ごとに記憶するステップと、前記情報配信装置が、記憶した前記識別情報に基づいて、前記機器が要求する前記対象情報を特定し、特定した前記対象情報を前記機器へ提供するステップとを含む。
【００６６】
このように、ある対象情報を機器が指定する際に用いる当該対象情報の識別情報を機器ごとに設定することにより、ある機器が指定した対象情報を複数の対象情報の中から正確に特定することができる。すなわち、各機器が指定した対象情報と異なる対象情報が各機器に提供されることを防ぐことができる。
【００６７】
また、情報配信装置が各機器に設定した識別情報を各機器から通知させることにより、対象情報を指定してきた各機器を別個に管理することができるため、ある機器が対象情報を指定した後に、当該機器の識別情報など当該機器に関する情報が変更された場合であっても、当該機器が指定した対象情報を正確に特定することができる。
【００６８】
（１６）本発明の実施の形態に係る情報配信方法は、複数の機器と、前記複数の機器に対して、対象情報に含まれる１または複数の要素情報を提供可能な情報配信装置とを備える情報配信システムにおける情報配信方法であって、前記機器が、前記要素情報を指定する指定情報を前記情報配信装置へ通知するステップと、前記情報配信装置が、前記機器から通知された前記要素情報を指定する指定情報、および前記機器の識別情報を、前記識別情報ごとに記憶するステップと、前記情報配信装置が、記憶した前記指定情報および前記識別情報に基づいて、前記機器が要求する前記対象情報の前記要素情報を特定し、特定した前記要素情報を前記機器へ提供するステップとを含む。
【００６９】
これにより、機器の識別情報に対応する指定情報を確認することで、当該機器が指定した要素情報が対象情報における複数の要素情報のうちのいずれの要素情報であるかを正確に特定することができる。すなわち、各機器が指定した要素情報と異なる要素情報が各機器に提供されることを防ぐことができる。
【００７０】
また、たとえば各機器に対して新たな情報の設定を行う必要がないため、簡易な構成および処理の情報配信システムを実現することができる。
【００７１】
（１７）本発明の実施の形態に係る情報配信方法は、複数の機器と、前記複数の機器に対して複数の対象情報を提供可能な情報配信装置とを備える情報配信システムにおける情報配信方法であって、前記情報配信装置が、前記対象情報と前記機器の識別情報との対応関係を記憶するステップと、前記機器が、前記対象情報を前記情報配信装置へ要求するステップと、前記情報配信装置が、記憶した前記対応関係に基づいて、前記機器が要求する前記対象情報を特定し、特定した前記対象情報を前記機器へ提供するステップとを含む。
【００７２】
これにより、機器の識別情報に対応する対象情報を確認することで、当該機器が指定した対象情報を複数の対象情報の中から正確に特定することができる。すなわち、各機器が指定した対象情報と異なる対象情報が各機器に提供されることを防ぐことができる。
【００７３】
また、たとえば各機器に対して新たな情報の設定を行う必要がないため、簡易な構成および処理の情報配信システムを実現することができる。
【００７４】
（１８）本発明の実施の形態に係る情報配信プログラムは、複数の機器に対して、対象情報に含まれる１または複数の要素情報を提供可能な情報配信装置において用いられる情報配信プログラムであって、コンピュータに、前記機器が前記情報配信装置に通知すべき前記対象情報の識別情報を、前記機器ごとに設定するステップと、設定した前記識別情報を、対応の前記機器へ通知するステップと、前記機器から通知された前記識別情報、および前記要素情報を指定する指定情報を、前記識別情報ごとに記憶するステップと、記憶した前記識別情報および前記指定情報に基づいて、前記機器が要求する前記対象情報の前記要素情報を特定し、特定した前記要素情報を前記機器へ提供するステップとを実行させるためのプログラムである。
【００７５】
このように、ある対象情報の要素情報を機器が指定する際に用いる当該対象情報の識別情報を機器ごとに設定することにより、ある機器が指定した要素情報が対象情報における複数の要素情報のうちのいずれの要素情報であるかを正確に特定することができる。すなわち、各機器が指定した要素情報と異なる要素情報が各機器に提供されることを防ぐことができる。
【００７６】
また、情報配信装置が各機器に設定した識別情報を各機器から通知させることにより、要素情報を指定してきた各機器を別個に管理することができるため、ある機器が要素情報を指定した後に、当該機器の識別情報など当該機器に関する情報が変更された場合であっても、当該機器が指定した要素情報を正確に特定することができる。
【００７７】
（１９）本発明の実施の形態に係る情報配信プログラムは、複数の機器に対して複数の対象情報を提供可能な情報配信装置において用いられる情報配信プログラムであって、コンピュータに、前記機器が前記情報配信装置に通知すべき前記対象情報の識別情報を、前記機器ごとに設定するステップと、設定した前記識別情報を、対応の前記機器へ通知するステップと、前記機器から通知された前記識別情報を、前記機器ごとに記憶するステップと、記憶した前記識別情報に基づいて、前記機器が要求する前記対象情報を特定し、特定した前記対象情報を前記機器へ提供するステップとを実行させるためのプログラムである。
【００７８】
このように、ある対象情報を機器が指定する際に用いる当該対象情報の識別情報を機器ごとに設定することにより、ある機器が指定した対象情報を複数の対象情報の中から正確に特定することができる。すなわち、各機器が指定した対象情報と異なる対象情報が各機器に提供されることを防ぐことができる。
【００７９】
また、情報配信装置が各機器に設定した識別情報を各機器から通知させることにより、対象情報を指定してきた各機器を別個に管理することができるため、ある機器が対象情報を指定した後に、当該機器の識別情報など当該機器に関する情報が変更された場合であっても、当該機器が指定した対象情報を正確に特定することができる。
【００８０】
（２０）本発明の実施の形態に係る情報配信プログラムは、複数の機器に対して、対象情報に含まれる１または複数の要素情報を提供可能な情報配信装置において用いられる情報配信プログラムであって、コンピュータに、前記機器から通知された前記要素情報を指定する指定情報、および前記機器の識別情報を、前記識別情報ごとに記憶するステップと、記憶した前記指定情報および前記識別情報に基づいて、前記機器が要求する前記対象情報の前記要素情報を特定し、特定した前記要素情報を前記機器へ提供するステップとを実行させるためのプログラムである。
【００８１】
これにより、機器の識別情報に対応する指定情報を確認することで、当該機器が指定した要素情報が対象情報における複数の要素情報のうちのいずれの要素情報であるかを正確に特定することができる。すなわち、各機器が指定した要素情報と異なる要素情報が各機器に提供されることを防ぐことができる。
【００８２】
また、たとえば各機器に対して新たな情報の設定を行う必要がないため、簡易な構成および処理の情報配信システムを実現することができる。
【００８３】
（２１）本発明の実施の形態に係る情報配信プログラムは、複数の機器に対して複数の対象情報を提供可能な情報配信装置において用いられる情報配信プログラムであって、コンピュータに、前記対象情報と前記機器の識別情報との対応関係を記憶するステップと、記憶した前記対応関係に基づいて、前記機器が要求する前記対象情報を特定し、特定した前記対象情報を前記機器へ提供するステップとを実行させるためのプログラムである。
【００８４】
これにより、機器の識別情報に対応する対象情報を確認することで、当該機器が指定した対象情報を複数の対象情報の中から正確に特定することができる。すなわち、各機器が指定した対象情報と異なる対象情報が各機器に提供されることを防ぐことができる。
【００８５】
また、たとえば各機器に対して新たな情報の設定を行う必要がないため、簡易な構成および処理の情報配信システムを実現することができる。
【００８６】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００８７】
（第１の実施の形態）
［構成および基本動作］
（情報配信システム全体の構成）
図１は、本発明の第１の実施の形態に係る情報配信システムの構成を示す図である。
【００８８】
図１を参照して、本発明の第１の実施の形態に係る情報配信システム２０１は、スマートメータ（情報配信装置）１０１と、制御装置（機器）１０２Ａ，１０２Ｂと、複数の電気機器１６１とを備える。以下、制御装置１０２Ａ，１０２Ｂのそれぞれを、「制御装置１０２」とも称する。
【００８９】
スマートメータ１０１は、情報配信システム２０１の管理を行う管理サーバ１５１との間で、電力線またはインターネットを介して各種情報の送受信を行う。具体的には、スマートメータ１０１は、通信機能付きの電力計測器であり、計測結果等を、管理サーバ１５１へ送信する。また、スマートメータ１０１は、管理サーバ１５１から配信情報を受信する（図１に示す「Ａルート」）。この配信情報には、日別または時間帯別の電気料金情報など、時系列の複数の要素情報が含まれる。
【００９０】
また、スマートメータ１０１は、電力線などを介して制御装置１０２に接続され、管理サーバ１５１から受信した配信情報の一部または全部を制御装置１０２へ送信する（図１に示す「Ｂルート」）。
【００９１】
制御装置１０２は、たとえばＨＥＭＳ（Ｈｏｍｅ  Ｅｎｅｒｇｙ  Ｍａｎａｇｅｍｅｎｔ  Ｓｙｓｔｅｍ）において用いられる装置であり、複数の機器を管理する。すなわち、制御装置１０２は、１または複数の電気機器１６１と有線接続または無線接続され、スマートメータ１０１から受信した一部または全部の配信情報を用いて電気機器１６１を管理する。
【００９２】
たとえば、制御装置１０２は、スマートメータ１０１から日別または時間帯別の電気料金情報を受信すると、受信した電気料金情報に基づいて、電気機器１６１であるエアコンに対して省電力モードで動作するように制御したり、または、電気機器１６１である蓄電池に対して電気料金が比較的安い時間帯に充電を行うように制御したりする。
【００９３】
（スマートメータの構成）
図２は、図１に示すスマートメータの構成を示す図である。
【００９４】
図２を参照して、スマートメータ１０１は、取得部１１と、記憶部１２と、設定部１３と、通知部１４と、提供部１５と、受信部１６とを含む。
【００９５】
取得部１１は、管理サーバ１５１から配信情報を受信する。取得部１１は、たとえば、要素情報として「当日の電気料金情報」、「翌日の電気料金情報」および「翌々日の電気料金情報」を含む配信情報を管理サーバ１５１から受信する。そして、取得部１１は、受信した配信情報を記憶部１２へ出力し、記憶部１２は、この配信情報を記憶する。
【００９６】
設定部１３は、記憶部１２に記憶されている配信情報の各要素情報にＩＤ（Ｉｄｅｎｔｉｆｉｃａｔｉｏｎ）を付与する。たとえば、取得部１１は、「当日の電気料金情報」に「ＩＤ１」を付与し、「翌日の電気料金情報」に「ＩＤ２」を付与し、「翌々日の電気料金情報」に「ＩＤ３」を付与する。
【００９７】
また、設定部１３は、記憶部１２に記憶されている配信情報を用いて、この配信情報に含まれる一部または全部の要素情報が含まれる対象情報（以下、「インスタンス」とも称する）を生成する。そして、設定部１３は、生成したインスタンスに制御装置１０２Ａ，１０２Ｂごとの識別情報（以下、「インスタンスコード」とも称する）を設定する。このインスタンスコードは、制御装置１０２Ａ，１０２Ｂがスマートメータ１０１に対して任意の要素情報を指定する際に、スマートメータ１０１へ通知すべき情報である。
【００９８】
たとえば、設定部１３は、制御装置１０２Ａ，１０２Ｂごとにインスタンスを生成し、生成したインスタンスごとにインスタンスコードを設定する。
【００９９】
図３は、図２に示す設定部により生成されるインスタンスの具体例を示す図である。
【０１００】
すなわち、図３（ａ）に示すように、設定部１３は、制御装置１０２Ａ用のインスタンスを生成し、当該インスタンスに対してインスタンスコード「０１」を設定する。「０１」のインスタンスコードが設定されたインスタンスを、以下「インスタンス０１」と称する。
【０１０１】
また、図３（ｂ）に示すように、設定部１３、制御装置１０２Ｂ用のインスタンスを生成し、当該インスタンスに対してインスタンスコード「０２」を設定する。「０２」のインスタンスコードが付与されたインスタンスを、以下「インスタンス０２」と称する。
【０１０２】
設定部１３は、たとえば、「インスタンスコード０１」および「インスタンスコード０２」のいずれにも同じ要素情報、すなわち「ＩＤ１」が付与された「当日の電気料金情報」、「ＩＤ２」が付与された「翌日の電気料金情報」および「ＩＤ３」が付与された「翌々日の電気料金情報」が含まれるようにインスタンスを生成する。
【０１０３】
なお、設定部１３は、必ずしも制御装置１０２Ａ，１０２Ｂごとにインスタンスを生成する必要はなく、インスタンスの内容が各制御装置１０２で共通である場合には、１つのインスタンスを生成する構成であってもよい。すなわち、設定部１３は、制御装置１０２Ａ，１０２Ｂごとにインスタンスのインスタンスコードを設定する構成であればよい。
【０１０４】
また、インスタンスは、配信情報そのものであってもよい。このような場合、設定部１３は、インスタンスを生成することなく、配信情報をインスタンスとして扱うことができる。
【０１０５】
再び図２を参照して、通知部１４は、設定部１３により設定されたインスタンスコードを、対応する制御装置１０２へ通知する。
【０１０６】
そして、制御装置１０２Ａは、スマートメータ１０１に対してインスタンスに含まれる要素情報を指定する場合、たとえば、インスタンスコード「０１」と、「インスタンス０１」に含まれる任意の要素情報を指定する指定情報、具体的には当該要素情報に付与されたＩＤとを通知する。
【０１０７】
また、制御装置１０２Ｂは、スマートメータ１０１に対してインスタンスに含まれる要素情報を指定する場合、たとえば、インスタンスコード「０２」と、「インスタンス０２」に含まれる任意の要素情報を指定する指定情報、具体的には当該要素情報に付与されたＩＤとを通知する。
【０１０８】
受信部１６は、制御装置１０２からのインスタンスコードおよび指定情報であるＩＤを受信すると、受信したインスタンスコードおよびＩＤを記憶部１２へ出力し、記憶部１２は、受信部１６から受けたインスタンスコードおよびＩＤを対応づけて記憶する。
【０１０９】
図４は、図２に示す記憶部に記憶される、インスタンスコードとＩＤとの対応関係の具体例を示す図である。
【０１１０】
すなわち、図４を参照して、たとえば、制御装置１０２Ａからインスタンスコード「０１」および「ＩＤ１」が通知されると、記憶部１２は、インスタンスコード「０１」および「ＩＤ１」を対応づけて記憶する。また、たとえば、制御装置１０２Ｂからインスタンスコード「０２」および「ＩＤ２」が通知されると、記憶部１２は、インスタンスコード「０２」および「ＩＤ２」を対応づけて記憶する。
【０１１１】
再び図２を参照して、提供部１５は、制御装置１０２から情報要求を受ける。この情報要求には、たとえば、インスタンスコードが含まれ、指定情報たとえばＩＤは含まれていない。
【０１１２】
そして、提供部１５は、この情報要求を受けると、記憶部１２に記憶されている記憶内容、すなわち制御装置１０２から通知されたインスタンスコードおよびＩＤを用いて、情報要求を送信した制御装置１０２が要求するインスタンスの要素情報を特定する。そして、提供部１５は、特定した要素情報を制御装置１０２へ送信する。
【０１１３】
具体的には、提供部１５は、制御装置１０２Ａから通知されたインスタンスコードおよびＩＤとして、インスタンスコード「０１」および「ＩＤ１」が記憶部１２に記憶されている場合において、制御装置１０２Ａからインスタンスコード「０１」が含まれている情報要求を受けると、インスタンスコード「０１」が設定された「インスタンス０１」に含まれている「ＩＤ１」の情報、たとえば「当日の電気料金情報」を特定し、特定した要素情報を制御装置１０２Ａへ送信する。
【０１１４】
また、提供部１５は、制御装置１０２Ｂから通知されたインスタンスコードおよびＩＤとして、インスタンスコード「０２」および「ＩＤ２」が記憶部１２に記憶されている場合において、制御装置１０２Ｂからインスタンスコード「０２」が含まれている情報要求を受けると、インスタンスコード「０２」が設定された「インスタンス０２」に含まれている「ＩＤ２」の情報、たとえば「翌日の電気料金情報」を特定し、特定した要素情報を制御装置１０２Ａへ送信する。
【０１１５】
［動作］
次に、本発明の第１の実施の形態に係る情報配信システムの動作について図面を用いて説明する。
【０１１６】
図５は、本発明の第１の実施の形態に係る情報配信システムによる情報配信手順を定めたシーケンス図である。
【０１１７】
情報配信システム２０１における各装置は、コンピュータを備え、当該コンピュータにおけるＣＰＵ等の演算処理部は、以下のシーケンス図の各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【０１１８】
図５を参照して、まず、スマートメータ１０１は、管理サーバ１５１から配信情報を受信する（ステップＳ１１）。ここでは、スマートメータ１０１は、管理サーバ１５１から、当日、翌日および翌々日のそれぞれの電気料金情報を要素情報として含む配信情報を受信することとする。
【０１１９】
次に、スマートメータ１０１は、管理サーバ１５１から受信した配信情報に含まれる各要素情報にＩＤを付与する（ステップＳ１２）。
【０１２０】
次に、制御装置１０２Ａがスマートメータ１０１に対して機器情報問合せを送信すると（ステップＳ１３）、スマートメータ１０１は、機器情報問合せを受信し、当該機器情報問合せに対して電文解析を行うことにより、当該機器情報問合せの送信元である機器のＩＰアドレスと、送信元である機器の機器種別情報とを取得する（ステップＳ１４）。
【０１２１】
次に、スマートメータ１０１は、配信情報を用いて、取得したＩＰアドレスおよび機器種別情報を有する機器用のインスタンスを生成し、生成したインスタンスにインスタンスコードを設定する。ここでは、スマートメータ１０１は、取得したＩＰアドレスおよび機器種別情報を有する機器用のインスタンスにインスタンスコード「０１」を設定することとする（ステップＳ１５）。
【０１２２】
次に、スマートメータ１０１は、自己に付与されている機器種別コード、および、インスタンスコード「０１」を、機器情報応答として制御装置１０２Ａへ送信する（ステップＳ１６）。
【０１２３】
ここで、制御装置１０２Ｂによる機器情報問合せの割り込みがあるとする。すなわち、制御装置１０２Ｂがスマートメータ１０１に対して機器情報問合せを送信すると（ステップＳ１７）、スマートメータ１０１は、機器情報問合せを受信し、受信した当該機器情報問合せに対して電文解析を行うことにより、当該機器情報問合せの送信元である機器のＩＰアドレスと、送信元である機器の機器種別情報とを取得する（ステップＳ１８）。
【０１２４】
次に、スマートメータ１０１は、新たに取得したＩＰアドレスと、過去に取得したＩＰアドレスとが同一であるか否か、および、新たに取得した機器種別情報と、過去に取得した機器種別情報とが同一であるか否かを確認する。
【０１２５】
ここでは、ステップＳ１８において取得されたＩＰアドレスおよび機器種別情報は、制御装置１０２ＢのＩＰアドレスおよび機器種別情報であり、ステップＳ１４において取得されたＩＰアドレスおよび機器種別情報は、制御装置１０２ＡのＩＰアドレスおよび機器種別情報である。このため、スマートメータ１０１は、新たに取得したＩＰアドレスおよび過去に取得したＩＰアドレス、または、新たに取得した機器種別情報および過去に取得した機器種別情報、の少なくとも一方は同一ではないと判断する。
【０１２６】
そして、スマートメータ１０１は、新たに取得したＩＰアドレスと、過去に取得したＩＰアドレスとが同一ではないと判断した場合、または、新たに取得した機器種別情報と、過去に取得した機器種別情報とが同一ではないと判断した場合、新たに取得したＩＰアドレスおよび機器種別情報を有する機器用のインスタンスを生成する。そして、スマートメータ１０１は、生成したインスタンスにインスタンスコードを設定する。ここでは、スマートメータ１０１は、新たに取得したＩＰアドレスおよび機器種別情報を有する機器用のインスタンスにインスタンスコード「０２」を設定することとする（ステップＳ１９）。
【０１２７】
次に、スマートメータ１０１は、自己に付与されている機器種別コード、および、インスタンスコード「０２」を、機器情報応答として制御装置１０２Ｂへ送信する（ステップＳ２０）。
【０１２８】
なお、スマートメータ１０１が、既に取得したＩＰアドレスと、新たに取得したＩＰアドレスとが同一であると判断し、かつ、既に取得した機器種別情報と、新たに取得した機器種別情報とが同一であると判断した場合、すなわち、先に機器情報問合せを送信した機器と、後に機器情報問合せを送信した機器とが同一である場合、スマートメータ１０１は、新たにインスタンスを生成することなく、たとえば、既に生成したインスタンスのインスタンスコード「０１」を、機器情報応答として送信する。
【０１２９】
次に、制御装置１０２Ａが、スマートメータ１０１から通知を受けたインスタンスコードに対応する「インスタンス０１」に含まれている要素情報の種類を問い合わせるためのＩＤ通知要求を、スマートメータ１０１へ送信すると（ステップＳ２１）、スマートメータ１０１は、このＩＤ通知要求を受けて、「インスタンス０１」に含まれている要素情報の種類を、ＩＤ通知応答として送信する。
【０１３０】
ここでは、「インスタンス０１」には、「ＩＤ１」が付与された「当日の電気料金情報」と、「ＩＤ２」が付与された「翌日の電気料金情報」と、「ＩＤ３」が付与された「翌々日の電気料金情報」とが含まれているとする。この場合、スマートメータ１０１は、「ＩＤ１」〜「ＩＤ３」に対応する要素情報の種類が、それぞれ「当日の電気料金情報」、「翌日の電気料金情報」、「翌々日の電気料金情報」であることを示す一覧を、ＩＤ通知応答として制御装置１０２Ａへ送信する（ステップＳ２２）。
【０１３１】
次に、制御装置１０２Ａは、スマートメータ１０１からＩＤ通知応答を受けて、「インスタンス０１」に含まれる要素情報の中から任意の要素情報のＩＤを指定して、対象情報の識別情報であるインスタンスコードと、指定情報であるＩＤとを通知する。たとえば、制御情報１０２Ａは、「当日の電気料金情報」を取得したい場合、インスタンスコード「０１」と「ＩＤ１」とを通知する（ステップＳ２３）。
【０１３２】
そして、スマートメータ１０１は、制御装置１０２Ａから通知されたインスタンスコードおよびＩＤ、たとえば、インスタンスコード「０１」と「ＩＤ１」とを対応づけて記憶する（ステップＳ２４）。
【０１３３】
また、ここで、制御装置１０２Ｂが、スマートメータ１０１から通知を受けたインスタンスコードに対応する「インスタンス０２」に含まれている要素情報を問い合わせるためのＩＤ通知要求を、スマートメータ１０１へ送信すると（ステップＳ２５）、スマートメータ１０１は、このＩＤ通知要求を受けて、「インスタンス０２」に含まれている要素情報の種類を、ＩＤ通知応答として送信する。
【０１３４】
ここでは、「インスタンス０２」には、「インスタンス０１」と同様に、「ＩＤ１」が付与された「当日の電気料金情報」と、「ＩＤ２」が付与された「翌日の電気料金情報」と、「ＩＤ３」が付与された「翌々日の電気料金情報」とが含まれているとする。この場合、スマートメータ１０１は、「ＩＤ１」〜「ＩＤ３」に対応する要素情報が、それぞれ「当日の電気料金情報」、「翌日の電気料金情報」、「翌々日の電気料金情報」であることを示す一覧を、ＩＤ通知応答として制御装置１０２Ｂへ送信する（ステップＳ２６）。
【０１３５】
次に、制御装置１０２Ｂは、スマートメータ１０１からＩＤ通知応答を受けて、「インスタンス０２」に含まれる要素情報の中から任意の要素情報のＩＤを指定して、対象情報の識別情報であるインスタンスコードと、指定情報であるＩＤとを通知する。たとえば、制御情報１０２Ｂは、「翌日の電気料金情報」を取得したい場合、インスタンスコード「０２」と「ＩＤ２」とを通知する（ステップＳ２７）。
【０１３６】
そして、スマートメータ１０１は、制御装置１０２Ｂから通知されたインスタンスコードおよびＩＤ、たとえば、インスタンスコード「０２」と「ＩＤ２」とを対応づけて記憶する（ステップＳ２８）。
【０１３７】
次に、制御装置１０２Ａが、自己に設定されたインスタンスコード「０１」と、情報要求とをスマートメータ１０１へ通知すると（ステップＳ２９）、スマートメータ１０１は、ステップＳ２４において記憶した記憶内容を用いて、インスタンスコード「０１」に対応づけられた「ＩＤ１」たとえば「当日の電気料金情報」を、送信すべき要素情報として特定する。そして、スマートメータ１０１は、特定した要素情報を、情報要求応答として制御装置１０２Ａへ送信する（ステップＳ３０）。
【０１３８】
また、制御装置１０２Ｂが、自己に設定されたインスタンスコード「０２」と、情報要求とをスマートメータ１０１へ通知すると（ステップＳ３１）、スマートメータ１０１は、ステップＳ２８において記憶した記憶内容を用いて、インスタンスコード「０２」に対応づけられた「ＩＤ２」たとえば「翌日の電気料金情報」を、送信すべき要素情報として特定する。そして、スマートメータ１０１は、特定した要素情報を、情報要求応答として制御装置１０２Ｂへ送信する（ステップＳ３２）。
【０１３９】
なお、上述した例では、スマートメータ１０１が制御装置１０２Ａ，１０２Ｂへ電気料金情報を送信する場合について説明したが、スマートメータ１０１から送信される情報は他の種類の情報であってもよい。
【０１４０】
また、上述した例では、制御装置１０２によるＩＤの通知が行われた後に、当該制御装置１０２による情報要求の通知が行われる場合について説明したが、制御装置１０２は、ＩＤの通知に情報要求の通知を含めることが可能である。そして、スマートメータ１０１は、制御装置１０２から情報要求の通知が含まれるＩＤの通知を受けると、通知されたＩＤに対応する要素情報を、当該制御装置１０２へ送信する。
【０１４１】
ところで、上述した特許文献１に記載の機器管理システムでは、各種電気機器を管理する機器管理装置が、特定の電気機器を指定して情報の送信または受信を行うことにより、電気機器の管理が行われる。
【０１４２】
ここで、機器管理装置が各種電気機器に対して情報を送信する際、まず、電気機器が取得したい情報を指定して機器管理装置へ要求すると、機器管理装置が指定された情報を電気機器へ送信する。
【０１４３】
しかしながら、機器管理装置により管理される電気機器が複数存在する場合、各種電気機器が任意のタイミングで情報の指定および要求を行うため、複数の電気機器による情報の指定および要求が近いタイミングで行われることがある。そして、たとえば、ある電気機器による情報の指定と要求との間に他の電気機器による情報の指定が行われるような場合には、先に情報の指定を行った電気機器に対して、指定された情報と異なる情報が送信されてしまう可能性がある。
【０１４４】
これに対して、本発明の第１の実施の形態に係る情報配信システム２０１におけるスマートメータ１０１では、設定部１１が、制御装置１０２が自己のスマートメータ１０１に通知すべきインスタンスのインスタンスコードを、制御装置１０２ごとに設定する。また、通知部１４が、設定部１１が設定したインスタンスコードを、対応する制御装置１０２へ通知する。また、記憶部１２が、制御装置１０２から通知されたインスタンスコード、および要素情報を指定するＩＤを、インスタンスコードごとに記憶する。また、提供部１５が、記憶部１２に記憶されたインスタンスコードおよび要素情報のＩＤに基づいて、制御装置１０２が要求するインスタンスの要素情報を特定し、特定した要素情報を制御装置１０２へ提供する。
【０１４５】
このように、あるインスタンスの要素情報を制御装置１０２が指定する際に用いる当該インスタンスのインスタンスコードを制御装置１０２ごとに設定する構成により、ある制御装置１０２が指定した要素情報がインスタンスにおける複数の要素情報のうちのいずれの要素情報であるかを正確に特定することができる。すなわち、各制御装置１０２が指定した要素情報と異なる要素情報が各制御装置１０２に提供されることを防ぐことができる。
【０１４６】
また、スマートメータ１０１が各制御装置１０２に設定したインスタンスコードを各制御装置１０２から通知させることにより、要素情報を指定してきた各制御装置１０２を別個に管理することができるため、ある制御装置１０２が要素情報を指定した後に、当該制御装置１０２の識別情報など当該制御装置１０２に関する情報が変更された場合であっても、当該制御装置１０２が指定した要素情報を正確に特定することができる。
【０１４７】
また、本発明の第１の実施の形態に係る情報配信システム２０１におけるスマートメータ１０１では、提供部１５は、制御装置１０２からの情報要求を受けると、記憶部１２に記憶されたインスタンスコードおよびＩＤを参照することにより、当該情報要求の示すインスタンスコードに対応する要素情報を特定し、特定した要素情報を制御装置１０２へ提供する。
【０１４８】
このような構成により、制御装置１０２がスマートメータ１０１に対して要素情報を指定した後に、当該制御装置１０２が当該スマートメータ１０１に対して情報要求を行う場合であっても、当該制御装置１０２が指定した要素情報を正確に特定し、提供することができる。
【０１４９】
また、本発明の第１の実施の形態に係る情報配信システム２０１におけるスマートメータ１０１では、インスタンスは、時系列の複数の要素情報を含み、新たな要素情報が定期的または不定期に作成される。
【０１５０】
このような構成により、時間の経過に伴って更新される情報を機器へ正しく提供することができる。
【０１５１】
（第２の実施の形態）
上述した第１の実施の形態に係る情報配信システム２０１では、スマートメータ１０１が、複数の制御装置１０２に対して情報の提供を行う。これに対して、本発明の第２の実施の形態に係る情報配信システム２０１では、電気機器１６１が、複数の制御装置１０２に対して情報の提供を行う。
【０１５２】
［構成および基本動作］
（情報配信システム全体の構成）
再び図１を参照して、本発明の第２の実施の形態に係る情報配信システム２０１では、電気機器（情報配信装置）１６１は、自己の動作に関する要素情報（以下、「プロパティ情報」と称する）を制御装置１０２へ送信する。そして、制御装置１０２は、電気機器１６１から受信したプロパティ情報を用いて、当該プロパティ情報の送信元である電気機器１６１の制御を行う。
【０１５３】
たとえば、電気機器１６１がエアコンである場合、電気機器１６１は、現在の設定温度を示す情報を制御装置１０２へ送信する。そして、制御装置１０２は、電気機器１６１から現在の設定温度を示す情報を受信すると、消費電力量および現在の宅内の温度等を総合的に判断して、電気機器１６１の設定温度を上げるなどの制御を行う。
【０１５４】
なお、制御装置１０２Ａと、制御装置１０２Ｂとでは、電気機器１６１に対して行うことのできる制御の項目に違いがあってもよい。
【０１５５】
たとえば、電気機器１６１がエアコンである場合、制御装置１０２Ａは、電気機器１６１に対して、電源のオンオフの切り替え、温度の設定、消費電流量の制御、通常モードと急速モードとの切り替え、および、風向きの設定を行うことが可能に構成され、これに対して、制御装置１０２Ｂは、電気機器１６１に対して、電源のオンオフの切り替え、および、温度の設定のみを行うことが可能に構成されていてもよい。
【０１５６】
（電気機器の構成）
図６は、本発明の第２の実施の形態に係る情報配信システムにおける電気機器の構成を示す図である。
【０１５７】
図６を参照して、電気機器１６１は、取得部２１と、記憶部２２と、設定部２３と、通知部２４と、提供部２５と、受信部２６とを含む。
【０１５８】
取得部２１は、たとえば、電気機器１６１がエアコンである場合、ユーザが操作するリモコンから温度の設定値または風向きの設定値などを受信し、受信した設定値に従って自己の電気機器１６１が動作するように制御する。また、取得部２１は、リモコンから受信した信号に含まれる設定値等をプロパティ情報として記憶部２２へ出力し、記憶部２２は、このプロパティ情報を記憶する。
【０１５９】
記憶部２２は、たとえば、時系列の複数のプロパティ情報、すなわち「３時間前のプロパティ情報」、「２時間前のプロパティ情報」、「１時間前のプロパティ情報」および「現在のプロパティ情報」を記憶する。
【０１６０】
なお、「３時間前のプロパティ情報」、「２時間前のプロパティ情報」、「１時間前のプロパティ情報」および「現在のプロパティ情報」には、それぞれ、詳細情報が含まれている。たとえば、電気機器１６１がエアコンである場合、各プロパティ情報には、電源のオンオフを示す情報と、設定温度を示す情報と、消費電流の計測値を示す情報と、通常モードで動作しているか、または、急速モードで動作しているかを示す情報と、風向きを示す情報とが、詳細情報として含まれている。
【０１６１】
設定部２３は、記憶部２２に記憶されている各プロパティ情報にＩＤを付与する。たとえば、設定部２３は、「３時間前のプロパティ情報」に「ＩＤ１」を付与し、「２時間前のプロパティ情報」に「ＩＤ２」を付与し、「１時間前のプロパティ情報」に「ＩＤ３」を付与し、「現在のプロパティ情報」に「ＩＤ４」を付与する。
【０１６２】
また、設定部２３は、記憶部２２に記憶されている複数のプロパティ情報を用いて、制御装置１０２Ａ，１０２Ｂごとに１または複数のプロパティ情報が含まれるインスタンスを生成し、生成した各インスタンスにインスタンスコードを設定する。
【０１６３】
図７は、図６に示す設定部により生成されるインスタンスの具体例を示す図である。
【０１６４】
すなわち、図７（ａ）に示すように、設定部２３は、制御装置１０２Ａ用のインスタンスを生成し、当該インスタンスに対してインスタンスコード「０１」を設定する。また、図７（ｂ）に示すように、設定部２３は、制御装置１０２Ｂ用のインスタンスを生成し、当該インスタンスに対してインスタンスコード「０２」を設定する。
【０１６５】
設定部２３は、たとえば、「インスタンス０１」および「インスタンス０２」のいずれにも、要素情報の種類として、「ＩＤ１」が付与された「３時間前のプロパティ情報」、「ＩＤ２」が付与された「２時間前のプロパティ情報」、「ＩＤ３」が付与された「１時間前のプロパティ情報」、および、「ＩＤ４」が付与された「現在のプロパティ情報」が含まれるようにインスタンスを生成する。
【０１６６】
なお、設定部２３は、「インスタンス０１」および「インスタンス０２」の生成において、制御装置１０２Ａ，１０２Ｂが自己の電気機器１６１に対してそれぞれ行うことのできる制御の項目に応じて、「インスタンス０１」における要素情報に含まれる詳細情報と、「インスタンス０２」における要素情報に含まれる詳細情報とを異なる情報にしてもよい。
【０１６７】
たとえば、電気機器１６１がエアコンである場合、設定部２３は、電源のオンオフを示す情報である「動作状態」と、設定温度を示す情報である「温度」と、消費電流の計測値を示す情報である「電流状態」と、通常モードで動作しているか、または、急速モードで動作しているかを示す情報である「動作モード」と、風向きを示す情報である「風向」とが詳細情報として含まれるように「インスタンス０１」を生成することができる。また、設定部２３は、「動作情報」および「温度」のみが詳細情報として含まれるように「インスタンス０２」を生成することができる。
【０１６８】
再び図６を参照して、通知部２４は、設定部２３により設定されたインスタンスコードを、対応する制御装置１０２へ通知する。
【０１６９】
受信部２６は、制御装置１０２から通知されるインスタンスコードおよびＩＤを受信すると、受信したインスタンスコードおよびＩＤを記憶部２２へ出力し、記憶部２２は、受信部２６から受けたインスタンスコードおよびＩＤを対応づけて記憶する。
【０１７０】
提供部２５は、制御装置１０２から情報要求を受ける。そして、提供部２５は、この情報要求を受けると、記憶部２２に記憶されている記憶内容、すなわち制御装置１０２から通知されたインスタンスコードおよびＩＤを用いて、情報要求を送信した制御装置１０２が要求するプロパティ情報を特定する。そして、提供部２５は、特定したプロパティ情報を制御装置１０２へ送信する。
【０１７１】
具体的には、提供部２５は、制御装置１０２Ａから通知されたインスタンスコードおよびＩＤとして、インスタンスコード「０１」および「ＩＤ１」が記憶部２２に記憶されている場合において、制御装置１０２Ａからインスタンスコード「０１」が含まれている情報要求を受けると、生成したインスタンスの中からインスタンスコード「０１」が設定された「インスタンス０１」を特定する。
【０１７２】
そして、提供部２５は、特定した「インスタンス０１」に含まれている「ＩＤ１」の情報、たとえば「３時間前のプロパティ情報」を、送信すべきプロパティ情報として特定する。そして、提供部２５は、特定したプロパティ情報に含まれる詳細情報、具体的には３時間前の自己の電気機器１６１の「動作状態」、「温度」、「電流状態」、「動作モード」および「風向」を、制御装置１０２Ａへ送信する。
【０１７３】
また、提供部２５は、制御装置１０２Ｂから通知されたインスタンスコードおよびＩＤとして、インスタンスコード「０２」および「ＩＤ２」が記憶部２２に記憶されている場合において、制御装置１０２Ｂからインスタンスコード「０２」が含まれている情報要求を受けると、生成したインスタンスの中からインスタンスコード「０２」が設定された「インスタンス０２」を特定する。
【０１７４】
そして、提供部２５は、特定した「インスタンス０２」に含まれている「ＩＤ２」の情報、たとえば「２時間前のプロパティ情報」を、送信すべきプロパティ情報として特定する。そして、提供部２５は、特定したプロパティ情報に含まれる詳細情報、具体的には２時間前の自己の電気機器１６１の「動作状態」および「温度」を、制御装置１０２Ｂへ送信する。
【０１７５】
［動作］
次に、本発明の第２の実施の形態に係る情報配信システムの動作について図面を用いて説明する。
【０１７６】
図８は、本発明の第２の実施の形態に係る情報配信システムによる情報配信手順を定めたシーケンス図である。
【０１７７】
情報配信システム２０１における各装置は、コンピュータを備え、当該コンピュータにおけるＣＰＵ等の演算処理部は、以下のシーケンス図の各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【０１７８】
図８を参照して、まず、電気機器１６１は、たとえば時間帯ごとの自己の動作状態を示すプロパティ情報を記憶する（ステップＳ４１）。そして、電気機器１６１は、各プロパティ情報にＩＤを付与する（ステップＳ４２）。
【０１７９】
ステップＳ４３〜ステップＳ５８までの動作は、動作主体を除き、図５に示すステップＳ１３〜ステップＳ２８までの動作と同様であるため、ここでの詳細な説明は繰り返さない。
【０１８０】
なお、電気機器１６１は、ステップＳ４５およびステップＳ４９におけるインスタンスの生成において、制御装置１０２Ａ，１０２Ｂがそれぞれ自己に対して行うことのできる制御の項目に応じて、「インスタンス０１」における要素情報に含まれる詳細情報と、「インスタンス０２」における要素情報に含まれる詳細情報とを異なる情報にすることができる。
【０１８１】
具体的には、電気機器１６１は、制御装置１０２ＡのＩＰアドレスおよび機器種別情報と、この制御装置１０２Ａが自己に対して、電源のオンオフの切り替え、温度の設定、消費電流量の制御、通常モードと急速モードとの切り替え、および、風向きの設定を行うことが可能であることとを対応づけて記憶しているとする。この場合、電気機器１６１は、ステップＳ４５において、制御装置１０２Ａ用の「インスタンス０１」に、詳細情報として「動作状態」、「温度」、「電流状態」、「動作モード」および「風向」を含めることができる。
【０１８２】
また、電気機器１６１は、制御装置１０２ＢのＩＰアドレスおよび機器種別情報と、この制御装置１０２Ｂが自己に対して、電源のオンオフの切り替え、および、温度の設定を行うことが可能であることとを対応づけて記憶しているとする。この場合、電気機器１６１は、ステップＳ４９において、制御装置１０２Ｂ用の「インスタンス０２」に、詳細情報として「動作状態」および「温度」を含めることができる。
【０１８３】
次に、制御装置１０２Ａが、自己に設定されたインスタンスコード「０１」と、情報要求とを電気機器１６１へ通知すると（ステップＳ５９）、電気機器１６１は、ステップＳ５４において記憶した記憶内容を用いて、インスタンスコード「０１」に対応づけられた「ＩＤ１」たとえば「インスタンス０１」に含まれる「３時間前のプロパティ情報」を、送信すべき要素情報として特定する。
【０１８４】
そして、電気機器１６１は、特定した要素情報に含まれる詳細情報、たとえば、３時間前の自己の電気機器１６１の「動作状態」、「温度」、「電流状態」、「動作モード」および「風向」を、情報要求応答として制御装置１０２Ａへ送信する（ステップＳ６０）。
【０１８５】
次に、制御装置１０２Ｂが、自己に設定されたインスタンスコード「０２」と、情報要求とを電気機器１６１へ通知すると（ステップＳ６１）、電気機器１６１は、ステップＳ５８において記憶した記憶内容を用いて、インスタンスコード「０２」に対応づけられた「ＩＤ２」たとえば「インスタンス０２」に含まれる「２時間前のプロパティ情報」を、送信すべき要素情報として特定する。
【０１８６】
そして、電気機器１６１は、特定した要素情報に含まれる詳細情報、たとえば、２時間前の自己の電気機器１６１の「動作状態」および「温度」を、情報要求応答として制御装置１０２Ｂへ送信する（ステップＳ６２）。
【０１８７】
なお、上述した例では、電気機器１６１が制御装置１０２Ａ，１０２Ｂへプロパティ情報を送信する場合について説明したが、電気機器１６１から送信される情報は他の種類の情報であってもよい。
【０１８８】
たとえば、電気機器１６１は、制御装置１０２へインスタンス全体の情報を送信してもよい。具体的には、電気機器１６１は、制御装置１０２Ａ用に「インスタンス０１」を生成し、制御装置１０２Ｂ用に「インスタンス０２」を生成したとする。
【０１８９】
この場合において、電気機器１６１は、制御装置１０２Ａからインスタンスコード「０１」の指定を受けると、「インスタンス０１」を特定し、特定した「インスタンス０１」全体、たとえば３時間前における「動作状態」、「温度」、「電流状態」、「動作モード」および「風光」（以下、これらを「５つの詳細情報」とも称する）と、２時間前における５つの詳細情報と、１時間前における５つの詳細情報と、現在における５つの詳細情報とを、制御装置１０２Ａへ送信することができる。
【０１９０】
また、上記の場合において、電気機器１６１は、制御装置１０２Ｂからインスタンスコード「０２」の指定を受けると、「インスタンス０２」を特定し、特定した「インスタンス０２」全体、たとえば３時間前における「動作状態」および「温度」（以下、これらを「２つの詳細情報」とも称する）と、２時間前における２つの詳細情報と、１時間前における２つの詳細情報と、現在における２つの詳細情報とを、制御装置１０２Ｂへ送信することができる。
【０１９１】
また、上述した例では、制御装置１０２によるＩＤの通知が行われた後に、当該制御装置１０２による情報要求の通知が行われる場合について説明したが、制御装置１０２は、ＩＤの通知に情報要求の通知を含めることが可能である。そして、電気機器１６１は、制御装置１０２から情報要求の通知が含まれるＩＤの通知を受けると、通知されたＩＤに対応する要素情報を、当該制御装置１０２へ送信する。
【０１９２】
上述のように、本発明の第２の実施の形態に係る情報配信システム２０１における電気機器１６１では、設定部２３が、制御装置１０２が電気機器１６１に通知すべきインスタンスのインスタンスコードを、制御装置１０２ごとに設定する。また、通知部２４が、設定部２３が設定したインスタンスコードを、対応の制御装置１０２へ通知する。また、記憶部２２が、制御装置１０２から通知されたインスタンスコードを、制御装置１０２ごとに記憶する。また、提供部２５が、記憶部２２に記憶されたインスタンスコードに基づいて、制御装置１０２が要求するインスタンスを特定し、特定したインスタンスを制御装置１０２へ提供する。
【０１９３】
このように、あるインスタンスを制御装置１０２が指定する際に用いる当該インスタンスのインスタンスコードを制御装置１０２ごとに設定する構成により、ある制御装置１０２が指定したインスタンスを複数のインスタンスの中から正確に特定することができる。すなわち、各制御装置１０２が指定したインスタンスと異なるインスタンスが各制御装置１０２に提供されることを防ぐことができる。
【０１９４】
また、電気機器１６１が各制御装置１０２に設定したインスタンスコードを各制御装置１０２から通知させることにより、インスタンスを指定してきた各制御装置１０２を別個に管理することができるため、ある制御装置１０２がインスタンスを指定した後に、当該制御装置１０２の識別情報など当該制御装置１０２に関する情報が変更された場合であっても、当該制御装置１０２が指定したインスタンスを正確に特定することができる。
【０１９５】
また、本発明の第２の実施の形態に係る情報配信システム２０１における電気機器１６１では、提供部２５は、制御装置１０２からの情報要求を受けると、記憶部２２に記憶されたインスタンスコードを参照することにより、当該情報要求の示すインスタンスコードに対応するインスタンスを特定し、特定したインスタンスを制御装置１０２へ提供する。
【０１９６】
このような構成により、制御装置１０２が電気機器１６１に対してインスタンスを指定した後に、当該制御装置１０２が当該電気機器１６１に対して情報要求を行う場合であっても、当該制御装置１０２が指定したインスタンスを正確に特定し、提供することができる。
【０１９７】
（第３の実施の形態）
本発明の第３の実施の形態に係る情報配信システム２０１では、管理サーバ１５１が、複数の制御装置１０２に対して情報の提供を行う。
【０１９８】
［構成および基本動作］
（情報配信システム全体の構成）
図９は、本発明の第３の実施の形態に係る情報配信システムの構成を示す図である。
【０１９９】
図９を参照して、本発明の第３の実施の形態に係る情報配信システム２０１は、管理サーバ（情報配信装置）１５１と、制御装置１０２Ａ，１０２Ｂとを備える。制御装置１０２Ａ，１０２Ｂは、たとえば、互いに異なる家庭のＡ宅，Ｂ宅にそれぞれ設置されている。
【０２００】
管理サーバ１５１は、電力線またはインターネットを介して、各家庭に設置された制御装置１０２との間で各種情報の送受信を行う。たとえば、管理サーバ１５１は、家庭ごとの契約内容に応じた使用電力量情報を、対応する制御装置１０２へ送信する（図９に示す「ルートＣ」）。
【０２０１】
制御装置１０２は、１または複数の電気機器１６１と有線接続または無線接続され、たとえば、管理サーバ１５１から受信した使用電力量情報に基づいて、自己に接続されている電気機器１６１の管理を行う。具体的には、制御装置１０２は、受信した使用電力量情報に基づいて、自己に接続されている複数の電気機器１６１による電力の総使用量が契約されている使用電力量の範囲内に収まるように、各電気機器１６１の動作を制御する。
【０２０２】
（管理サーバの構成）
図１０は、図９に示す管理サーバの構成を示す図である。
【０２０３】
図１０を参照して、管理サーバ１５１は、記憶部３１と、設定部３２と、通知部３３と、提供部３４と、受信部３５とを含む。
【０２０４】
記憶部３１は、時系列の複数の要素情報、たとえば「先々月の契約使用電力量情報」、「先月の契約使用電力量情報」および「今月の契約使用電力量情報」を記憶する。これらの要素情報には、それぞれ詳細情報として、Ａ宅における契約使用電力量情報と、Ｂ宅における契約使用電力量情報とが含まれている。
【０２０５】
設定部３２は、記憶部３１に記憶されている複数の要素情報にそれぞれＩＤを付与する。たとえば、設定部３２は、「先々月の契約使用電力量情報」に「ＩＤ１」を付与し、「先月の契約使用電力量情報」に「ＩＤ２」を付与し、「今月の契約使用電力量情報」に「ＩＤ３」を付与する。
【０２０６】
また、設定部３２は、記憶部３１に記憶されている複数の要素情報を用いて、制御装置１０２Ａ，１０２Ｂごとに１または複数の要素情報が含まれるインスタンスを生成し、生成した各インスタンスにインスタンスコードを設定する。
【０２０７】
図１１は、図１０に示す設定部により生成されるインスタンスの具体例を示す図である。
【０２０８】
すなわち、図１１（ａ）に示すように、設定部３２は、制御装置１０２Ａ用のインスタンスを生成し、当該インスタンスに対してインスタンスコード「０１」を設定する。また、図１１（ｂ）に示すように、設定部３２は、制御装置１０２Ｂ用のインスタンスを生成し、当該インスタンスに対してインスタンスコード「０２」を設定する。
【０２０９】
設定部３２は、たとえば、「インスタンス０１」および「インスタンス０２」のいずれにも、要素情報の種類として、「ＩＤ１」が付与された「先々月の契約使用電力量情報」、「ＩＤ２」が付与された「先月の契約使用電力量情報」、および、「ＩＤ３」が付与された「今月の契約使用電力量情報」が含まれるようにインスタンスを生成する。
【０２１０】
なお、設定部３２は、「インスタンス０１」における要素情報に含まれる詳細情報と、「インスタンス０２」における要素情報に含まれる詳細情報とを異なる情報にすることができる。
【０２１１】
たとえば、設定部３２は、制御装置１０２Ａ用の「インスタンス０１」には、「先々月の契約使用電力量情報」の詳細情報として「Ａ宅における先々月の契約使用電力量情報」を含め、「先月の契約使用電力量情報」の詳細情報として「Ａ宅における先月の契約使用電力量情報」を含め、「今月の契約使用電力量情報」の詳細情報として「Ａ宅における今月の契約使用電力量情報」を含める。
【０２１２】
また、たとえば、設定部３２は、制御装置１０２Ｂ用の「インスタンス０２」には、「先々月の契約使用電力量情報」の詳細情報として「Ｂ宅における先々月の契約使用電力量情報」を含め、「先月の契約使用電力量情報」の詳細情報として「Ｂ宅における先月の契約使用電力量情報」を含め、「今月の契約使用電力量情報」の詳細情報として「Ｂ宅における今月の契約使用電力量情報」を含める。
【０２１３】
再び図１０を参照して、通知部３３は、設定部３２により設定されたインスタンスコードを、対応する制御装置１０２へ通知する。
【０２１４】
受信部３５は、制御装置１０２から通知されるインスタンスコードおよびＩＤを受信すると、受信したインスタンスコードおよびＩＤを記憶部３１へ出力し、記憶部３１は、受信部３５から受けたインスタンスコードおよびＩＤを対応づけて記憶する。
【０２１５】
提供部３４は、制御装置１０２から情報要求を受ける。そして、提供部３４は、この情報要求を受けると、記憶部３１に記憶されている記憶内容、すなわち制御装置１０２から通知されたインスタンスコードおよびＩＤを用いて、情報要求を送信した制御装置１０２が要求する要素情報を特定する。そして、提供部３４は、特定した要素情報を制御装置１０２へ送信する。
【０２１６】
具体的には、提供部３４は、制御装置１０２Ａから通知されたインスタンスコードおよびＩＤとして、インスタンスコード「０１」および「ＩＤ１」が記憶部３１に記憶されている場合において、制御装置１０２Ａからインスタンスコード「０１」が含まれている情報要求を受けると、生成したインスタンスの中からインスタンスコード「０１」が設定された「インスタンス０１」を特定する。
【０２１７】
そして、提供部２５は、特定した「インスタンス０１」に含まれている「ＩＤ１」の要素情報、たとえば「先々月の契約使用電力量情報」を、送信すべきプロパティ情報として特定する。そして、提供部３４は、特定した要素情報に含まれる詳細情報、たとえば「Ａ宅における先々月の契約使用電力量情報」を、制御装置１０２Ａへ送信する。
【０２１８】
また、提供部３４は、制御装置１０２Ｂから通知されたインスタンスコードおよびＩＤとして、インスタンスコード「０２」および「ＩＤ２」が記憶部３１に記憶されている場合において、制御装置１０２Ｂからインスタンスコード「０２」が含まれている情報要求を受けると、生成したインスタンスの中からインスタンスコード「０２」が設定された「インスタンス０２」を特定する。
【０２１９】
そして、提供部２５は、特定した「インスタンス０２」に含まれている「ＩＤ２」の情報、たとえば「先月の契約使用電力量情報」を、送信すべきプロパティ情報として特定する。そして、提供部３４は、特定した要素情報に含まれる詳細情報、たとえば「Ｂ宅における先月の契約使用電力量情報」を、制御装置１０２Ｂへ送信する。
【０２２０】
［動作］
次に、本発明の第３の実施の形態に係る情報配信システムの動作について図面を用いて説明する。
【０２２１】
図１２は、本発明の第３の実施の形態に係る情報配信システムによる機器管理のための情報取得手順を定めたシーケンス図である。
【０２２２】
情報配信システム２０１における各装置は、コンピュータを備え、当該コンピュータにおけるＣＰＵ等の演算処理部は、以下のシーケンス図の各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【０２２３】
図１２を参照して、まず、管理サーバ１５１は、たとえば月別の契約使用電力量情報である各要素情報にＩＤを付与する（ステップＳ７１）。
【０２２４】
ステップＳ７２〜ステップＳ８７までの動作は、動作主体を除き、図５に示すステップＳ１３〜ステップＳ２８までの動作と同様であるため、ここでの詳細な説明は繰り返さない。
【０２２５】
なお、管理サーバ１５１は、ステップＳ７４およびステップＳ７８におけるインスタンスの生成において、「インスタンス０１」における要素情報に含まれる詳細情報と、「インスタンス０２」における要素情報に含まれる詳細情報とを異なる情報にすることができる。
【０２２６】
具体的には、管理サーバ１５１は、制御装置１０２ＡのＩＰアドレスおよび機器種別情報と、この制御装置１０２Ａが設置されている家庭がＡ宅であることを対応づけて記憶しているとする。この場合、管理サーバ１５１は、ステップＳ７４において、制御装置１０２Ａ用の「インスタンス０１」に、詳細情報として「Ａ宅における先々月の契約使用電力量情報」、「Ａ宅における先月の契約使用電力量情報」および「Ａ宅における今月の契約使用電力量情報」を含めることができる。
【０２２７】
また、具体的には、管理サーバ１５１は、制御装置１０２ＢのＩＰアドレスおよび機器種別情報と、この制御装置１０２Ｂが設置されている家庭がＢ宅であることを対応づけて記憶しているとする。この場合、管理サーバ１５１は、ステップＳ７８において、制御装置１０２Ｂ用の「インスタンス０２」に、詳細情報として「Ｂ宅における先々月の契約使用電力量情報」、「Ｂ宅における先月の契約使用電力量情報」および「Ｂ宅における今月の契約使用電力量情報」を含めることができる。
【０２２８】
次に、制御装置１０２Ａが、自己に設定されたインスタンスコード「０１」と、情報要求とを管理サーバ１５１へ通知すると（ステップＳ８８）、管理サーバ１５１は、ステップＳ８３において記憶した記憶内容を用いて、インスタンスコード「０１」に対応づけられた「ＩＤ１」たとえば「インスタンス０１」に含まれる「先々月の契約使用電力量情報」を送信すべき要素情報として特定する。
【０２２９】
そして、管理サーバ１５１は、特定した要素情報に含まれる詳細情報、たとえば「Ａ宅における先々月の契約使用電力量情報」を、情報要求応答として制御装置１０２Ａへ送信する（ステップＳ８９）。
【０２３０】
次に、制御装置１０２Ｂが、自己に設定されたインスタンスコード「０２」と、情報要求とを管理サーバ１５１へ通知すると（ステップＳ９０）、管理サーバ１５１は、ステップＳ８７において記憶した記憶内容を用いて、インスタンスコード「０２」に対応づけられた「ＩＤ２」たとえば「インスタンス０２」に含まれる「先月の契約使用電力量情報」を、送信すべき要素情報として特定する。
【０２３１】
そして、管理サーバ１５１は、特定した要素情報に含まれる詳細情報、たとえば「Ｂ宅における先月の契約使用電力量情報」を、情報要求応答として制御装置１０２Ｂへ送信する（ステップＳ９１）。
【０２３２】
なお、上述した例では、管理サーバ１５１が制御装置１０２Ａ，１０２Ｂへ契約使用電力量情報を送信する場合について説明したが、管理サーバ１５１から送信される情報は他の種類の情報であってもよい。
【０２３３】
たとえば、管理サーバ１５１は、制御装置１０２へインスタンス全体の情報を送信してもよい。具体的には、管理サーバ１５１は、制御装置１０２Ａ用に「インスタンス０１」を生成し、制御装置１０２Ｂ用に「インスタンス０２」を生成したとする。
【０２３４】
この場合において、管理サーバ１５１は、制御装置１０２Ａからインスタンスコード「０１」の指定を受けると、「インスタンス０１」を特定し、特定した「インスタンス０１」全体、たとえばＡ宅における先々月の契約使用電力量情報と、Ａ宅における先月の契約使用電力量情報と、Ａ宅における今月の契約使用電力量情報とを、制御装置１０２Ａへ送信することができる。
【０２３５】
また、上記の場合において、管理サーバ１５１は、制御装置１０２Ｂからインスタンスコード「０２」の指定を受けると、「インスタンス０２」を特定し、特定した「インスタンス０２」全体、たとえばＢ宅における先々月の契約使用電力量情報と、Ｂ宅における先月の契約使用電力量情報と、Ｂ宅における今月の契約使用電力量情報とを、制御装置１０２Ｂへ送信することができる。
【０２３６】
また、上述した例では、制御装置１０２によるＩＤの通知が行われた後に、当該制御装置１０２による情報要求の通知が行われる場合について説明したが、制御装置１０２は、ＩＤの通知に情報要求の通知を含めることが可能である。そして、管理サーバ１５１は、制御装置１０２から情報要求の通知が含まれるＩＤの通知を受けると、通知されたＩＤに対応する要素情報を、当該制御装置１０２へ送信する。
【０２３７】
上述のように、本発明の第３の実施の形態に係る情報配信システム２０１における管理サーバ１５１では、設定部３２が、制御装置１０２が管理サーバ１５１に通知すべきインスタンスのインスタンスコードを、制御装置１０２ごとに設定する。また、通知部３３は、設定部３２が設定したインスタンスコードを、対応の制御装置１０２へ通知する。また、記憶部３１が、制御装置１０２から通知されたインスタンスコードを、制御装置１０２ごとに記憶する。また、提供部３４が、記憶部３１に記憶されたインスタンスコードに基づいて、制御装置１０２が要求するインスタンスを特定し、特定したインスタンスを制御装置１０２へ提供する。
【０２３８】
このように、あるインスタンスを制御装置１０２が指定する際に用いる当該インスタンスのインスタンスコードを制御装置１０２ごとに設定する構成により、ある制御装置１０２が指定したインスタンスを複数のインスタンスの中から正確に特定することができる。すなわち、各制御装置１０２が指定したインスタンスと異なるインスタンスが各制御装置１０２に提供されることを防ぐことができる。
【０２３９】
また、管理サーバ１５１が各制御装置１０２に設定したインスタンスコードを各制御装置１０２から通知させることにより、インスタンスを指定してきた各制御装置１０２を別個に管理することができるため、ある制御装置１０２がインスタンスを指定した後に、当該制御装置１０２の識別情報など当該制御装置１０２に関する情報が変更された場合であっても、当該制御装置１０２が指定したインスタンスを正確に特定することができる。
【０２４０】
また、本発明の第３の実施の形態に係る情報配信システム２０１における管理サーバ１５１では、提供部３４は、制御装置１０２からの情報要求を受けると、記憶部３１に記憶されたインスタンスコードを参照することにより、当該情報要求の示すインスタンスコードに対応するインスタンスを特定し、特定したインスタンスを制御装置１０２へ提供する。
【０２４１】
このような構成により、制御装置１０２が管理サーバ１５１に対してインスタンスを指定した後に、当該制御装置１０２が当該管理サーバ１５１に対して情報要求を行う場合であっても、当該制御装置１０２が指定したインスタンスを正確に特定し、提供することができる。
【０２４２】
（第４の実施の形態）
上述した第１〜第３の実施の形態に係る情報配信システム２０１では、情報の提供先である機器ごとにインスタンスのインスタンスコードを設定し、機器から通知されたインスタンスコードおよびＩＤを対応づけて記憶する。
【０２４３】
これに対して、本発明の第４の実施の形態に係る情報配信システム２０１では、機器から通知されたＩＤと、当該機器の識別情報とを対応づけて記憶する。
【０２４４】
本発明の第４の実施の形態に係る情報配信システム２０１は、スマートメータ１０１における各ユニットの動作を除いては、上述した本発明の第１の実施の形態に係る情報配信システム２０１と同様である。
【０２４５】
（スマートメータの構成）
再び図２を参照して、本発明の第４の実施の形態に係るスマートメータ１０１は、本発明の第１の実施の形態に係るスマートメータ１０１と同様に、取得部１１と、記憶部１２と、設定部１３と、通知部１４と、提供部１５と、受信部１６とを含む。ここでは本発明の第１の実施の形態に係るスマートメータ１０１と異なる点について主に説明する。
【０２４６】
設定部１３は、記憶部１２に記憶されている配信情報を用いて、この配信情報に含まれる一部または全部の要素情報が含まれるインスタンスを生成し、生成したインスタンスにインスタンスコードを設定する。このとき、設定部１３は、制御装置１０２Ａ，１０２Ｂごとにインスタンスコードを設定することなく、制御装置１０２Ａ，１０２Ｂに対して共通のインスタンスコードを設定する。
【０２４７】
設定部１３は、たとえば、制御装置１０２Ａ，１０２Ｂに対して共通のインスタンスを生成し、生成したインスタンスにインスタンスコード「０Ｘ」を設定する。この場合、制御装置１０２Ａは、スマートメータ１０１に対してインスタンスに含まれる要素情報を指定する場合、インスタンスコード「０Ｘ」と、「インスタンス０Ｘ」に含まれる任意の要素情報を指定するＩＤとを通知する。また、制御装置１０２Ｂは、スマートメータ１０１に対してインスタンスに含まれる要素情報を指定する場合、インスタンスコード「０Ｘ」と、「インスタンス０Ｘ」に含まれる任意の要素情報を指定するＩＤとを通知する。
【０２４８】
受信部１６は、制御装置１０２からのインスタンスコードおよびＩＤを受信すると、ＩＤの通知を行った機器の識別情報を取得する。この識別情報とは、たとえば、機器のＩＰアドレスおよび機器種別情報である。そして、受信部１６は、取得したＩＰアドレスおよび機器種別情報と、通知されたＩＤとを記憶部１２へ出力する。
【０２４９】
記憶部１２は、受信部１６から受けたＩＰアドレスと、機器種別情報と、ＩＤとを対応づけて記憶する。
【０２５０】
図１３は、本発明の第４の実施の形態に係る情報配信システムにおけるスマートメータの記憶部に記憶される、ＩＰアドレスと、機器種別情報と、ＩＤとの対応関係の具体例を示す図である。
【０２５１】
図１３を参照して、たとえば、制御装置１０２Ａから「ＩＤ１」が通知されると、受信部１６は、「ＩＤ１」の通知を行った制御装置１０２ＡのＩＰアドレスおよび機器種別情報を取得し、取得した制御装置１０２ＡのＩＰアドレスおよび機器種別情報を記憶部１２へ出力する。そして、記憶部１２は、制御装置１０２ＡのＩＰアドレスと、制御装置１０２Ａの機器種別情報と、制御装置１０２Ａによる通知された「ＩＤ１」とを対応づけて記憶する。
【０２５２】
また、たとえば、制御装置１０２Ｂから「ＩＤ２」が通知されると、受信部１６は、「ＩＤ２」の通知を行った制御装置１０２ＢのＩＰアドレスおよび機器種別情報を取得し、取得した制御装置１０２ＢのＩＰアドレスおよび機器種別情報を記憶部１２へ出力する。そして、記憶部１２は、制御装置１０２ＢのＩＰアドレスと、制御装置１０２Ｂの機器種別情報と、制御装置１０２Ｂによる通知された「ＩＤ２」とを対応づけて記憶する。
【０２５３】
再び図２を参照して、提供部１５は、制御装置１０２から情報要求を受けると、当該情報要求の送信元である機器のＩＰアドレスおよび機器種別情報を取得する。そして、提供部１５は、記憶部１２に記憶されている記憶内容、すなわち制御装置１０２のＩＰアドレスと、制御装置１０２の機器種別情報と、ＩＤとを用いて、情報要求を送信した制御装置１０２が要求するインスタンスの要素情報を特定する。そして、提供部１５は、特定した要素情報を制御装置１０２へ送信する。
【０２５４】
具体的には、提供部１５は、制御装置１０２ＡのＩＰアドレスと、制御装置１０２Ａの機器種別情報と、「ＩＤ１」とが対応づけられて記憶部１２に記憶されている場合において、情報要求の送信元である機器のＩＰアドレスおよび機器種別情報が、制御装置１０２ＡのＩＰアドレスおよび機器種別情報と同一である場合、「ＩＤ１」が付与された要素情報を特定し、特定した要素情報を情報要求の送信元である機器すなわち制御装置１０２Ａへ送信する。
【０２５５】
また、提供部１５は、制御装置１０２ＢのＩＰアドレスと、制御装置１０２Ｂの機器種別情報と、「ＩＤ２」とが対応づけられて記憶部１２に記憶されている場合において、情報要求の送信元である機器のＩＰアドレスおよび機器種別情報が、制御装置１０２ＢのＩＰアドレスおよび機器種別情報と同一である場合、「ＩＤ２」が付与された要素情報を特定し、特定した要素情報を情報要求の送信元である機器すなわち制御装置１０２Ｂへ送信する。
【０２５６】
［動作］
次に、本発明の第４の実施の形態に係る情報配信システムの動作について図面を用いて説明する。
【０２５７】
図１４は、本発明の第４の実施の形態に係る情報配信システムによる情報配信手順を定めたシーケンス図である。
【０２５８】
情報配信システム２０１における各装置は、コンピュータを備え、当該コンピュータにおけるＣＰＵ等の演算処理部は、以下のシーケンス図の各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【０２５９】
図１４を参照して、まず、スマートメータ１０１は、管理サーバ１５１から配信情報を受信する（ステップＳ１０１）。ここでは、スマートメータ１０１は、管理サーバ１５１から、当日、翌日および翌々日のそれぞれの電気料金情報を要素情報として含む配信情報を受信することとする。
【０２６０】
次に、スマートメータ１０１は、管理サーバ１５１から受信した配信情報に含まれる各要素情報にＩＤを付与する（ステップＳ１０２）。
【０２６１】
次に、スマートメータ１０１は、配信情報を用いて、制御装置１０２Ａ，１０２Ｂに対して共通のインスタンスを生成し、生成したインスタンスに、たとえばインスタンスコード「０Ｘ」を設定する（ステップＳ１０３）。
【０２６２】
次に、制御装置１０２Ａがスマートメータ１０１に対して機器情報問合せを送信すると（ステップＳ１０４）、スマートメータ１０１は、機器情報問合せを受信し、自己に付与されている機器種別コード、および、インスタンスコード「０Ｘ」を、機器情報応答として制御装置１０２Ａへ送信する（ステップＳ１０５）。
【０２６３】
次に、制御装置１０２Ｂによる機器情報問合せの割り込みがあるとする。すなわち、制御装置１０２Ｂがスマートメータ１０１に対して機器情報問合せを送信すると（ステップＳ１０６）、スマートメータ１０１は、機器情報問合せを受信し、自己に付与されている機器種別コード、および、インスタンスコード「０Ｘ」、すなわちステップＳ１０５において送信した情報と同一の情報を、機器情報応答として制御装置１０２Ｂへ送信する（ステップＳ１０７）。
【０２６４】
次に、制御装置１０２Ａが、スマートメータ１０１から通知を受けたインスタンスコードに対応する「インスタンス０Ｘ」に含まれている要素情報の種類を問い合わせるためのＩＤ通知要求を、スマートメータ１０１へ送信すると（ステップＳ１０８）、スマートメータ１０１は、このＩＤ通知要求を受けて、「インスタンス０Ｘ」に含まれている要素情報の種類を、ＩＤ通知応答として送信する。
【０２６５】
ここでは、「インスタンス０Ｘ」には、「ＩＤ１」が付与された「当日の電気料金情報」と、「ＩＤ２」が付与された「翌日の電気料金情報」と、「ＩＤ３」が付与された「翌々日の電気料金情報」とが含まれているとする。この場合、スマートメータ１０１は、「ＩＤ１」〜「ＩＤ３」に対応する要素情報の種類が、それぞれ「当日の電気料金情報」、「翌日の電気料金情報」、「翌々日の電気料金情報」であることを示す一覧を、ＩＤ通知応答として制御装置１０２Ａへ送信する（ステップＳ１０９）。
【０２６６】
次に、制御装置１０２Ａは、スマートメータ１０１からＩＤ通知応答を受けて、「インスタンス０Ｘ」に含まれる要素情報の中から任意の要素情報のＩＤを指定して、インスタンスコードと、指定情報であるＩＤとを通知する。たとえば、制御情報１０２Ａは、「当日の電気料金情報」を取得したい場合、インスタンスコード「０Ｘ」と「ＩＤ１」とを通知する（ステップＳ１１０）。
【０２６７】
次に、スマートメータ１０１は、受信した通知に対して電文解析を行うことにより、当該通知を行った機器のＩＰアドレスと、当該通知を行った機器の機器種別情報とを取得する（ステップＳ１１１）。
【０２６８】
そして、スマートメータ１０１は、取得したＩＰアドレスと、機器種別情報と、通知されたＩＤ、すなわち制御装置１０２ＡのＩＰアドレスと、制御装置１０２Ａの機器種別情報と、「ＩＤ１」とを対応づけて記憶する（ステップＳ１１２）。
【０２６９】
次に、制御装置１０２Ｂが、スマートメータ１０１から通知を受けたインスタンスコードに対応する「インスタンス０Ｘ」に含まれている要素情報の種類を問い合わせるためのＩＤ通知要求を、スマートメータ１０１へ送信すると（ステップＳ１１３）、スマートメータ１０１は、このＩＤ通知要求を受けて、「インスタンス０Ｘ」に含まれている要素情報の種類を、ＩＤ通知応答として送信する（ステップＳ１１４）。
【０２７０】
次に、制御装置１０２Ｂは、スマートメータ１０１から、制御装置１０２Ａへ送信されたものと同様のＩＤ通知応答を受けて、「インスタンス０Ｘ」に含まれる要素情報の中から任意の要素情報のＩＤを指定して、インスタンスコードと、指定情報であるＩＤとを通知する。たとえば、制御情報１０２Ｂは、「翌日の電気料金情報」を取得したい場合、インスタンスコード「０Ｘ」と「ＩＤ２」とを通知する（ステップＳ１１５）。
【０２７１】
次に、スマートメータ１０１は、受信した通知に対して電文解析を行うことにより、当該通知を行った機器のＩＰアドレスと、当該通知を行った機器の機器種別情報とを取得する（ステップＳ１１６）。
【０２７２】
そして、スマートメータ１０１は、取得したＩＰアドレスと、機器種別情報と、通知されたＩＤ、すなわち制御装置１０２ＢのＩＰアドレスと、制御装置１０２Ｂの機器種別情報と、「ＩＤ２」とを対応づけて記憶する（ステップＳ１１７）。
【０２７３】
次に、制御装置１０２Ａが、情報要求をスマートメータ１０１へ通知すると（ステップＳ１１８）、スマートメータ１０１は、当該情報要求に対して電文解析を行うことにより、当該情報要求の送信元である機器のＩＰアドレス、および、送信元である機器の機器種別情報、すなわち制御装置１０２ＡのＩＰアドレスおよび機器種別情報を取得する。
【０２７４】
そして、スマートメータ１０１は、ステップＳ１１２において記憶した記憶内容を用いて、制御装置１０２ＡのＩＰアドレスおよび機器種別情報に対応づけられた「ＩＤ１」たとえば「当日の電気料金情報」を、送信すべき要素情報として特定する（ステップＳ１１９）。そして、スマートメータ１０１は、特定した要素情報を、情報要求応答として制御装置１０２Ａへ送信する（ステップＳ１２０）。
【０２７５】
次に、制御装置１０２Ｂが、情報要求をスマートメータ１０１へ通知すると（ステップＳ１２１）、スマートメータ１０１は、当該情報要求に対して電文解析を行うことにより、当該情報要求の送信元である機器のＩＰアドレス、および、送信元である機器の機器種別情報、すなわち制御装置１０２ＢのＩＰアドレスおよび機器種別情報を取得する。
【０２７６】
そして、スマートメータ１０１は、ステップＳ１１７において記憶した記憶内容を用いて、制御装置１０２ＢのＩＰアドレスおよび機器種別情報に対応づけられた「ＩＤ２」たとえば「翌日の電気料金情報」を、送信すべき要素情報として特定する（ステップＳ１２２）。そして、スマートメータ１０１は、特定した要素情報を、情報要求応答として制御装置１０２Ｂへ送信する（ステップＳ１２３）。
【０２７７】
なお、上述した例では、スマートメータ１０１が制御装置１０２Ａ，１０２Ｂへ電気料金情報を送信する場合について説明したが、スマートメータ１０１から送信される情報は他の種類の情報であってもよい。
【０２７８】
また、上述した例では、制御装置１０２によるＩＤの通知が行われた後に、当該制御装置１０２による情報要求の通知が行われる場合について説明したが、制御装置１０２は、ＩＤの通知に情報要求の通知を含めることが可能である。そして、スマートメータ１０１は、制御装置１０２から情報要求の通知が含まれるＩＤの通知を受けると、通知されたＩＤに対応する要素情報を、当該制御装置１０２へ送信する。
【０２７９】
上記のように、本発明の第４の実施の形態に係る情報配信システム２０１におけるスマートメータ１０１では、記憶部１２が、制御装置１０２から通知された要素情報を指定するＩＤ、および制御装置１０２のＩＰアドレスおよび機器種別情報を、当該ＩＰアドレスおよび機器種別情報ごとに記憶する。提供部１５は、記憶部１２に記憶されたＩＤと、ＩＰアドレスと、機器種別情報とに基づいて、制御装置１０２が要求するインスタンスの要素情報を特定し、特定した要素情報を制御装置１０２へ提供する。
【０２８０】
このような構成により、制御装置１０２のＩＰアドレスおよび機器種別情報に対応するＩＤを確認することで、当該制御装置１０２が指定した要素情報がインスタンスにおける複数の要素情報のうちのいずれの要素情報であるかを正確に特定することができる。すなわち、各制御装置１０２が指定した要素情報と異なる要素情報が各制御装置１０２に提供されることを防ぐことができる。
【０２８１】
また、たとえば各制御装置１０２に対して新たな情報の設定を行う必要がないため、簡易な構成および処理の情報配信システム２０１を実現することができる。
【０２８２】
また、本発明の第４の実施の形態に係る情報配信システム２０１におけるスマートメータ１０１では、提供部１５は、制御装置１０２からの情報要求を受けると、記憶部１２に記憶されたＩＤと、制御装置１０２のＩＰアドレスおよび制御装置１０２の機器種別情報とを参照することにより、当該情報要求の送信元の制御装置１０２に対応する要素情報を特定し、特定した要素情報を制御装置１０２へ提供する。
【０２８３】
このような構成により、制御装置１０２がスマートメータ１０１に対して要素情報を指定した後に、当該制御装置１０２が当該スマートメータ１０１に対して情報要求を行う場合であっても、当該制御装置１０２が指定した要素情報を正確に特定し、提供することができる。
【０２８４】
（第５の実施の形態）
上述した第４の実施の形態に係る情報配信システム２０１では、スマートメータ１０１が複数の制御装置１０２に対して情報の提供を行う場合において、スマートメータ１０１が、制御装置１０２から通知されたＩＤと、当該制御装置１０２の識別情報とを対応づけて記憶する。
【０２８５】
これに対して、本発明の第５の実施の形態に係る情報配信システム２０１では、電気機器１６１が複数の制御装置１０２に対して情報の提供を行う場合において、電気機器１６１が、制御装置１０２から通知されたＩＤと、当該制御装置１０２の識別情報とを対応づけて記憶する。
【０２８６】
本発明の第５の実施の形態に係る情報配信システム２０１は、電気機器１６１における各ユニットの動作を除いては、上述した本発明の第２の実施の形態に係る情報配信システム２０１と同様である。
【０２８７】
（電気機器の構成）
再び図６を参照して、本発明の第５の実施の形態に係る電気機器１６１は、本発明の第２の実施の形態に係る電気機器１６１と同様に、取得部２１と、記憶部２２と、設定部２３と、通知部２４と、提供部２５と、受信部２６とを含む。ここでは本発明の第２の実施の形態に係る電気機器１６１と異なる点について主に説明する。
【０２８８】
設定部２３は、記憶部２２に記憶されているプロパティ情報を用いて、１または複数のプロパティ情報が含まれるインスタンスを生成し、生成したインスタンスにインスタンスコードを設定する。このとき、設定部２３は、制御装置１０２Ａ，１０２Ｂごとにインスタンスコードを設定することなく、制御装置１０２Ａ，１０２Ｂに対して共通のインスタンスコードを設定する。
【０２８９】
受信部２６は、制御装置１０２からのインスタンスコードおよびＩＤを受信すると、ＩＤの通知を行った機器の識別情報、具体的には、機器のＩＰアドレスおよび機器種別情報を取得する。そして、受信部２６は、取得したＩＰアドレスおよび機器種別情報と、通知されたＩＤとを記憶部２２へ出力する。
【０２９０】
記憶部２２は、受信部２６から受けたＩＰアドレスと、機器種別情報と、ＩＤとを対応づけて記憶する。
【０２９１】
図１５は、本発明の第５の実施の形態に係る情報配信システムにおける電気機器の記憶部に記憶される、ＩＰアドレスと、機器種別情報と、ＩＤとの対応関係の具体例を示す図である。
【０２９２】
図１５を参照して、たとえば、制御装置１０２Ａから「ＩＤ１」が通知されると、受信部２６は、「ＩＤ１」の通知を行った制御装置１０２ＡのＩＰアドレスおよび機器種別情報を取得し、取得した制御装置１０２ＡのＩＰアドレスおよび機器種別情報を記憶部２２へ出力する。そして、記憶部２２は、制御装置１０２ＡのＩＰアドレスと、制御装置１０２Ａの機器種別情報と、制御装置１０２Ａによる通知された「ＩＤ１」とを対応づけて記憶する。
【０２９３】
また、たとえば、制御装置１０２Ｂから「ＩＤ２」が通知されると、受信部２６は、「ＩＤ２」の通知を行った制御装置１０２ＢのＩＰアドレスおよび機器種別情報を取得し、取得した制御装置１０２ＢのＩＰアドレスおよび機器種別情報を記憶部２２へ出力する。そして、記憶部２２は、制御装置１０２ＢのＩＰアドレスと、制御装置１０２Ｂの機器種別情報と、制御装置１０２Ｂによる通知された「ＩＤ２」とを対応づけて記憶する。
【０２９４】
また、記憶部２２は、たとえば、制御装置１０２のＩＰアドレスおよび機器種別情報と、制御装置１０２が自己の電気機器１６１に対して行うことのできる制御の項目とを対応づけて予め記憶する。そして、記憶部２２は、受信部２６から受けたＩＰアドレスおよび機器種別情報と、ＩＤとを対応づけて記憶する際、さらに、当該ＩＰアドレスおよび機器種別情報に対応する制御項目を詳細情報として対応づけて記憶する。
【０２９５】
たとえば、記憶部２２は、制御装置１０２ＡのＩＰアドレスおよび機器種別情報と、この制御装置１０２Ａが自己の電気機器１６１に対して、電源のオンオフの切り替え、温度の設定、消費電流量の制御、通常モードと急速モードとの切り替え、および、風向きの設定を行うことが可能であることとを対応づけて予め記憶する。この場合、記憶部２２は、制御装置１０２ＡのＩＰアドレスと、制御装置１０２Ａの機器種別情報と、制御装置１０２Ａから通知された「ＩＤ１」と、詳細情報である「動作状態」、「温度」、「電流状態」、「動作モード」および「風向」とを対応づけて記憶する。
【０２９６】
また、たとえば、記憶部２２は、制御装置１０２ＢのＩＰアドレスおよび機器種別情報と、この制御装置１０２Ｂが自己の電気機器１６１に対して、電源のオンオフの切り替え、および、温度の設定を行うことが可能であることとを対応づけて予め記憶する。この場合、記憶部２２は、制御装置１０２ＢのＩＰアドレスと、制御装置１０２Ｂの機器種別情報と、制御装置１０２Ｂから通知された「ＩＤ２」と、詳細情報である「動作状態」および「温度」とを対応づけて記憶する。
【０２９７】
再び図６を参照して、提供部２５は、制御装置１０２から情報要求を受けると、当該情報要求の送信元である機器のＩＰアドレスおよび機器種別情報を取得する。そして、提供部２５は、記憶部２２に記憶されている記憶内容、すなわち制御装置１０２のＩＰアドレスと、制御装置１０２の機器種別情報と、ＩＤとを用いて、情報要求を送信した制御装置１０２が要求するインスタンスの要素情報を特定する。そして、提供部２５は、特定した要素情報に含まれる詳細情報を制御装置１０２へ送信する。
【０２９８】
具体的には、提供部２５は、制御装置１０２ＡのＩＰアドレスと、制御装置１０２Ａの機器種別情報と、「ＩＤ１」と、詳細情報である「動作状態」、「温度」、「電流状態」、「動作モード」および「風向」とが対応づけられて記憶部２２に記憶されている場合において、情報要求の送信元である機器のＩＰアドレスおよび機器種別情報が、制御装置１０２ＡのＩＰアドレスおよび機器種別情報と同一である場合、「ＩＤ１」が付与された要素情報を特定し、特定した要素情報に含まれる詳細情報を情報要求の送信元である機器すなわち制御装置１０２Ａへ送信する。
【０２９９】
また、提供部２５は、制御装置１０２ＢのＩＰアドレスと、制御装置１０２Ｂの機器種別情報と、「ＩＤ２」と、詳細情報である「動作状態」および「温度」とが対応づけられて記憶部２２に記憶されている場合において、情報要求の送信元である機器のＩＰアドレスおよび機器種別情報が、制御装置１０２ＢのＩＰアドレスおよび機器種別情報と同一である場合、「ＩＤ２」が付与された要素情報を特定し、特定した要素情報に含まれる詳細情報を情報要求の送信元である機器すなわち制御装置１０２Ｂへ送信する。
【０３００】
［動作］
次に、本発明の第５の実施の形態に係る情報配信システムの動作について図面を用いて説明する。
【０３０１】
図１６は、本発明の第５の実施の形態に係る情報配信システムによる情報配信手順を定めたシーケンス図である。
【０３０２】
情報配信システム２０１における各装置は、コンピュータを備え、当該コンピュータにおけるＣＰＵ等の演算処理部は、以下のシーケンス図の各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【０３０３】
図１６を参照して、まず、電気機器１６１は、たとえば時間帯ごとの自己の動作情報を示すプロパティ情報を記憶する（ステップＳ１３１）。そして、電気機器１６１は、各プロパティ情報にＩＤを付与する（ステップＳ１３２）。
【０３０４】
ステップＳ１３３からステップＳ１４７までの動作は、動作主体を除き、図１４に示すステップＳ１０３〜ステップＳ１１７までの動作と同様であるため、ここでの詳細な説明は繰り返さない。
【０３０５】
なお、電気機器１６１は、ステップＳ１４２およびステップＳ１４７において、制御装置１０２のＩＰアドレス、制御装置１０２の機器種別情報、および、制御装置１０２により通知されたＩＤに加えて、さらに、制御装置１０２が自己の電気機器１６１に対して行うことのできる制御の項目を示す詳細情報を対応づけて記憶する。
【０３０６】
次に、制御装置１０２Ａが、情報要求を電気機器１６１へ通知すると（ステップＳ１４８）、電気機器１６１は、当該情報要求に対して電文解析を行うことにより、当該情報要求の送信元である機器のＩＰアドレス、および、送信元である機器の機器種別情報、すなわち制御装置１０２ＡのＩＰアドレスおよび機器種別情報を取得する。
【０３０７】
そして、電気機器１６１は、ステップＳ１４２において記憶した記憶内容を用いて、制御装置１０２ＡのＩＰアドレスおよび機器種別情報に対応づけられた「ＩＤ１」と、詳細情報とを特定する（ステップＳ１４９）。そして、電気機器１６１は、特定した「ＩＤ１」と詳細情報とを用いて、たとえば「ＩＤ１」が付与された「３時間前のプロパティ情報」に含まれる「動作状態」、「温度」、「電流状態」、「動作モード」および「風向」を、情報要求応答として制御装置１０２Ａへ送信する（ステップＳ１５０）。
【０３０８】
次に、制御装置１０２Ｂが、情報要求を電気機器１６１へ通知すると（ステップＳ１５１）、電気機器１６１は、当該情報要求に対して電文解析を行うことにより、当該情報要求の送信元である機器のＩＰアドレス、および、送信元である機器の機器種別情報、すなわち制御装置１０２ＢのＩＰアドレスおよび機器種別情報を取得する。
【０３０９】
そして、電気機器１６１は、ステップＳ１４７において記憶した記憶内容を用いて、制御装置１０２ＢのＩＰアドレスおよび機器種別情報に対応づけられた「ＩＤ２」と、詳細情報とを特定する（ステップＳ１５２）。そして、電気機器１６１は、特定した「ＩＤ２」と詳細情報とを用いて、たとえば「ＩＤ２」が付与された「２時間前のプロパティ情報」に含まれる「動作状態」および「温度」を、情報要求応答として制御装置１０２Ｂへ送信する（ステップＳ１５３）。
【０３１０】
なお、上述した例では、電気機器１６１が制御装置１０２Ａ，１０２Ｂへプロパティ情報を送信する場合について説明したが、電気機器１６１から送信される情報は他の種類の情報であってもよい。
【０３１１】
上記のように、本発明の第５の実施の形態に係る情報配信システム２０１における電気機器１６１では、記憶部２２が、制御装置１０２から通知された要素情報を指定するＩＤ、および制御装置１０２のＩＰアドレスおよび機器種別情報を、当該ＩＰアドレスおよび機器種別情報ごとに記憶する。提供部２５は、記憶部２２に記憶されたＩＤと、ＩＰアドレスと、機器種別情報とに基づいて、制御装置１０２が要求するインスタンスの要素情報を特定し、特定した要素情報を制御装置１０２へ提供する。
【０３１２】
このような構成により、制御装置１０２のＩＰアドレスおよび機器種別情報に対応するＩＤを確認することで、当該制御装置１０２が指定した要素情報がインスタンスにおける複数の要素情報のうちのいずれの要素情報であるかを正確に特定することができる。すなわち、各制御装置１０２が指定した要素情報と異なる要素情報が各制御装置１０２に提供されることを防ぐことができる。
【０３１３】
また、たとえば各制御装置１０２に対して新たな情報の設定を行う必要がないため、簡易な構成および処理の情報配信システム２０１を実現することができる。
【０３１４】
また、本発明の第５の実施の形態に係る情報配信システム２０１における電気機器１６１では、提供部２５は、制御装置１０２からの情報要求を受けると、記憶部２２に記憶されたＩＤと、制御装置１０２のＩＰアドレスおよび制御装置１０２の機器種別情報とを参照することにより、当該情報要求の送信元の制御装置１０２に対応する要素情報を特定し、特定した要素情報を制御装置１０２へ提供する。
【０３１５】
このような構成により、制御装置１０２が電気機器１６１に対して要素情報を指定した後に、当該制御装置１０２が当該電気機器１６１に対して情報要求を行う場合であっても、当該制御装置１０２が指定した要素情報を正確に特定し、提供することができる。
【０３１６】
（変形例）
なお、上述した本発明の第５の実施の形態に係る情報配信システム２０１では、電気機器１６１が、制御装置１０２Ａ，１０２Ｂに対して共通のインスタンスを生成する。しかしながら、このような形態に限定されず、電気機器１６１は、制御装置１０２Ａ，１０２Ｂごとに別々のインスタンスを生成してもよい。
【０３１７】
具体的には、電気機器１６１は、まず、制御装置１０２Ａから機器情報問合せを受信すると、当該機器情報問合せの送信元である機器のＩＰアドレスと、送信元である機器の機器種別情報とを取得する。
【０３１８】
そして、電気機器１６１は、自己が記憶しているプロパティ情報を用いて、取得したＩＰアドレスおよび機器種別情報を有する機器用のインスタンスを生成し、生成したインスタンスにインスタンスコード、たとえば「０Ｘ」を設定する。そして、電気機器１６１は、自己に付与されている機器種別コード、および、インスタンスコード「０Ｘ」を、機器情報応答として制御装置１０２Ａへ送信する。
【０３１９】
また、電気機器１６１は、制御装置１０２Ａ用に生成したインスタンスと、制御装置１０２ＡのＩＰアドレスおよび機器種別情報とを対応づけて記憶する。
【０３２０】
次に、電気機器１６１は、制御装置１０２Ｂから機器情報問合せを受信すると、当該機器情報問合せの送信元である機器のＩＰアドレスと、送信元である機器の機器種別情報とを取得する。
【０３２１】
そして、電気機器１６１は、自己が記憶しているプロパティ情報を用いて、取得したＩＰアドレスおよび機器種別情報を有する機器用のインスタンスを生成し、生成したインスタンスにインスタンスコード、たとえば「０Ｘ」を設定する。そして、電気機器１６１は、自己に付与されている機器種別コード、および、インスタンスコード「０Ｘ」を、機器情報応答として制御装置１０２Ｂへ送信する。
【０３２２】
また、電気機器１６１は、制御装置１０２Ｂ用に生成したインスタンスと、制御装置１０２ＢのＩＰアドレスおよび機器種別情報とを対応づけて記憶する。
【０３２３】
ここで、電気機器１６１は、制御装置１０２ＡのＩＰアドレスと、制御装置１０２Ａの機器種別情報と、制御装置１０２Ａが自己に対して行うことのできる制御の項目、たとえば「動作状態」、「温度」、「電流状態」、「動作モード」および「風向」とを対応づけて予め記憶しているとする。この場合、電気機器１６１は、制御装置１０２Ａ用のインスタンスに、詳細情報として「動作状態」、「温度」、「電流状態」、「動作モード」および「風向」を含めることができる。
【０３２４】
また、電気機器１６１は、制御装置１０２ＢのＩＰアドレスと、制御装置１０２Ｂの機器種別情報と、制御装置１０２Ｂが自己に対して行うことのできる制御の項目、たとえば「動作状態」および「温度」とを対応づけて予め記憶しているとする。この場合、電気機器１６１は、制御装置１０２Ｂ用のインスタンスに、詳細情報として「動作状態」および「温度」を含めることができる。
【０３２５】
次に、電気機器１６１は、制御装置１０２からインスタンスに含まれる任意の要素情報のＩＤの指定を受けると、当該指定を行った機器のＩＰアドレスおよび機器種別情報を取得し、取得したＩＰアドレスおよび機器種別情報と、通知されたＩＤとを対応づけて記憶する。
【０３２６】
たとえば、電気機器１６１は、制御装置１０２Ａから「ＩＤ１」の通知を受けると、制御装置１０２ＡのＩＰアドレスと、制御装置１０２Ａの機器種別情報と、制御装置１０２Ａから通知された「ＩＤ１」とを対応づけて記憶する。また、電気機器１６１は、制御装置１０２Ｂから「ＩＤ２」の通知を受けると、制御装置１０２ＢのＩＰアドレスと、制御装置１０２Ｂの機器種別情報と、制御装置１０２Ｂから通知された「ＩＤ２」とを対応づけて記憶する。
【０３２７】
次に、電気機器１６１は、制御装置１０２から情報要求を受けると、当該情報要求の送信元である機器のＩＰアドレス、および、送信元である機器の機器種別情報を取得する。そして、電気機器１６１は、記憶内容すなわちＩＰアドレスおよび機器種別情報と、インスタンスとの対応関係を用いて、当該情報要求の送信元である機器用のインスタンスを特定する。
【０３２８】
さらに、電気機器１６１は、ＩＰアドレスおよび機器種別情報とＩＤとの対応関係を用いて、当該情報要求の送信元である機器のＩＰアドレスおよび機器種別情報に対応するＩＤを特定する。そして、電気機器１６１は、特定したインスタンスおよびＩＤに基づいて、制御装置１０２へ送信すべき情報を特定し、特定した情報を制御装置１０２へ送信する。
【０３２９】
たとえば、電気機器１６１は、制御装置１０２Ａから情報要求を受けると、当該情報要求に含まれる制御装置１０２ＡのＩＰアドレスおよび機器種別情報に基づいて、制御装置１０２Ａ用のインスタンスを特定する。さらに、電気機器１６１は、当該情報要求に含まれる制御装置１０２ＡのＩＰアドレスおよび機器種別情報に基づいて、要素情報を指定するＩＤとして「ＩＤ１」を特定する。
【０３３０】
そして、電気機器１６１は、制御装置１０２Ａ用のインスタンスにおける「ＩＤ１」の詳細情報、たとえば「３時間前のプロパティ情報」に含まれる「動作状態」、「温度」、「電流状態」、「動作モード」および「風向」を、情報要求応答として制御装置１０２Ａへ送信する。
【０３３１】
また、たとえば、電気機器１６１は、制御装置１０２Ｂから情報要求を受けると、当該情報要求に含まれる制御装置１０２ＢのＩＰアドレスおよび機器種別情報に基づいて、制御装置１０２Ｂ用のインスタンスを特定する。さらに、電気機器１６１は、当該情報要求に含まれる制御装置１０２ＢのＩＰアドレスおよび機器種別情報に基づいて、要素情報を指定するＩＤとして「ＩＤ２」を特定する。
【０３３２】
そして、電気機器１６１は、制御装置１０２Ｂ用のインスタンスにおける「ＩＤ２」の詳細情報、たとえば「２時間前のプロパティ情報」に含まれる「動作状態」および「温度」を、情報要求応答として制御装置１０２Ｂへ送信する。
【０３３３】
なお、電気機器１６１は、制御装置１０２へインスタンス全体の情報を送信してもよい。具体的には、電気機器１６１は、制御装置１０２Ａ用の「インスタンス０Ｘ」と、制御装置１０２Ｂ用の「インスタンス０Ｘ」とを生成したとする。
【０３３４】
この場合において、電気機器１６１は、制御装置１０２ＡからＩＤの指定を受けることなく、インスタンスコード「０Ｘ」の指定を受けると、制御装置１０２Ａ用の「インスタンス０Ｘ」を特定し、特定した制御装置１０２Ａ用の「インスタンス０Ｘ」全体の情報、たとえば３時間前における「動作状態」、「温度」、「電流状態」、「動作モード」および「風光」（以下、これらを「５つの詳細情報」とも称する）と、２時間前における５つの詳細情報と、１時間前における５つの詳細情報と、現在における５つの詳細情報とを、制御装置１０２Ａへ送信することができる。
【０３３５】
また、上記の場合において、電気機器１６１は、制御装置１０２ＢからＩＤの指定を受けることなく、インスタンスコード「０Ｘ」の指定を受けると、制御装置１０２Ｂ用の「インスタンス０Ｘ」を特定し、特定した制御装置１０２Ｂ用の「インスタンス０Ｘ」全体の情報、たとえば３時間前における「動作状態」および「温度」（以下、これらを「２つの詳細情報」とも称する）と、２時間前における２つの詳細情報と、１時間前における２つの詳細情報と、現在における２つの詳細情報とを、制御装置１０２Ｂへ送信することができる。
【０３３６】
また、上述した例では、制御装置１０２によるＩＤの通知が行われた後に、当該制御装置１０２による情報要求の通知が行われる場合について説明したが、制御装置１０２は、ＩＤの通知に情報要求の通知を含めることが可能である。そして、電気機器１６１は、制御装置１０２から情報要求の通知が含まれるＩＤの通知を受けると、通知されたＩＤに対応する要素情報を、当該制御装置１０２へ送信する。
【０３３７】
上記のように、本発明の第５の実施の形態に係る情報配信システム２０１の変形例における電気機器１６１では、記憶部２２が、インスタンスと制御装置１０２のＩＰアドレスおよび機器種別情報との対応関係を記憶する。また、提供部２５が、記憶部２２に記憶された当該対応関係に基づいて、制御装置１０２が要求するインスタンスを特定し、特定したインスタンスを制御装置１０２へ提供する。
【０３３８】
このような構成により、制御装置１０２のＩＰアドレスおよび機器種別情報に対応するインスタンスを確認することで、当該制御装置１０２が指定したインスタンスを複数のインスタンスの中から正確に特定することができる。すなわち、各制御装置１０２が指定したインスタンスと異なるインスタンスが各制御装置１０２に提供されることを防ぐことができる。
【０３３９】
また、たとえば各制御装置１０２に対して新たな情報の設定を行う必要がないため、簡易な構成および処理の情報配信システム２０１を実現することができる。
【０３４０】
また、本発明の第５の実施の形態に係る情報配信システム２０１の変形例における電気機器１６１では、提供部２５は、制御装置１０２からの情報要求を受けると、記憶部２２に記憶された対応関係、すなわちインスタンスと制御装置１０２のＩＰアドレスおよび機器種別情報との対応関係を参照することにより、当該情報要求に含まれるＩＰアドレスおよび機器種別情報に基づいて、当該情報要求の送信元の制御装置１０２に対応するインスタンスを特定し、特定したインスタンスを制御装置１０２へ提供する。
【０３４１】
このような構成により、制御装置１０２が電気機器１６１に対してインスタンスに含まれる情報を指定した後に、当該制御装置１０２が当該電気機器１６１に対して情報要求を行う場合であっても、当該制御装置１０２が指定したインスタンスを正確に特定し、提供することができる。
【０３４２】
（第６の実施の形態）
本発明の第６の実施の形態に係る情報配信システム２０１では、管理サーバ１５１が複数の制御装置１０２に対して情報の提供を行う場合において、管理サーバ１５１が、制御装置１０２から通知されたＩＤと、当該制御装置１０２の識別情報とを対応づけて記憶する。
【０３４３】
本発明の第６の実施の形態に係る情報配信システム２０１は、管理サーバ１５１における各ユニットの動作を除いては、上述した本発明の第３の実施の形態に係る情報配信システム２０１と同様である。
【０３４４】
（管理サーバの構成）
再び図１０を参照して、本発明の第６の実施の形態に係る管理サーバ１５１は、本発明の第３の実施の形態に係る管理サーバ１５１と同様に、記憶部３１と、設定部３２と、通知部３３と、提供部３４と、受信部３５とを含む。ここでは本発明の第３の実施の形態に係る管理サーバ１５１と異なる点について主に説明する。
【０３４５】
設定部３２は、記憶部３１に記憶されている要素情報を用いて、１または複数の要素情報が含まれるインスタンスを生成し、生成したインスタンスにインスタンスコードを設定する。このとき、設定部３２は、制御装置１０２Ａ，１０２Ｂごとにインスタンスコードを設定することなく、制御装置１０２Ａ，１０２Ｂに対して共通のインスタンスコードを設定する。
【０３４６】
受信部３５は、制御装置１０２からのインスタンスコードおよびＩＤを受信すると、ＩＤの通知を行った機器の識別情報、具体的には、機器のＩＰアドレスおよび機器種別情報を取得する。そして、受信部３５は、取得したＩＰアドレスおよび機器種別情報と、通知されたＩＤとを記憶部３１へ出力する。
【０３４７】
記憶部３１は、受信部３５から受けたＩＰアドレスと、機器種別情報と、ＩＤとを対応づけて記憶する。
【０３４８】
図１７は、本発明の第６の実施の形態に係る情報配信システムにおける管理サーバの記憶部に記憶される、ＩＰアドレスと、機器種別情報と、ＩＤとの対応関係の具体例を示す図である。
【０３４９】
図１７を参照して、たとえば、制御装置１０２Ａから「ＩＤ１」が通知されると、受信部３５は、「ＩＤ１」の通知を行った制御装置１０２ＡのＩＰアドレスおよび機器種別情報を取得し、取得した制御装置１０２ＡのＩＰアドレスおよび機器種別情報を記憶部３１へ出力する。そして、記憶部３１は、制御装置１０２ＡのＩＰアドレスと、制御装置１０２Ａの機器種別情報と、制御装置１０２Ａによる通知された「ＩＤ１」とを対応づけて記憶する。
【０３５０】
また、たとえば、制御装置１０２Ｂから「ＩＤ２」が通知されると、受信部３５は、「ＩＤ２」の通知を行った制御装置１０２ＢのＩＰアドレスおよび機器種別情報を取得し、取得した制御装置１０２ＢのＩＰアドレスおよび機器種別情報を記憶部３１へ出力する。そして、記憶部３１は、制御装置１０２ＢのＩＰアドレスと、制御装置１０２Ｂの機器種別情報と、制御装置１０２Ｂによる通知された「ＩＤ２」とを対応づけて記憶する。
【０３５１】
また、記憶部３１は、たとえば、制御装置１０２のＩＰアドレスおよび機器種別情報と、制御装置１０２が設置されている家庭における契約使用電力量情報とを対応づけて予め記憶する。そして、記憶部３１は、受信部３５から受けたＩＰアドレスおよび機器種別情報と、ＩＤとを対応づけて記憶する際、さらに、当該ＩＰアドレスおよび機器種別情報に対応する家庭における契約使用電力量情報を詳細情報として対応づけて記憶する。
【０３５２】
たとえば、記憶部３１は、制御装置１０２ＡのＩＰアドレスと、制御装置１０２Ａの機器種別情報と、制御装置１０２Ａから通知された「ＩＤ１」と、「Ａ宅における契約使用電力量情報」とを対応づけて記憶する。また、記憶部３１は、制御装置１０２ＢのＩＰアドレスと、制御装置１０２Ｂの機器種別情報と、制御装置１０２Ｂから通知された「ＩＤ１」と、「Ｂ宅における契約使用電力量情報」とを対応づけて記憶する。
【０３５３】
再び図１０を参照して、提供部３４は、制御装置１０２から情報要求を受けると、当該情報要求の送信元である機器のＩＰアドレスおよび機器種別情報を取得する。そして、提供部３４は、記憶部３１に記憶されている記憶内容、すなわち制御装置１０２のＩＰアドレスと、制御装置１０２の機器種別情報と、ＩＤとを用いて、情報要求を送信した制御装置１０２が要求するインスタンスの要素情報を特定する。そして、提供部３４は、特定した要素情報に含まれる詳細情報を制御装置１０２へ送信する。
【０３５４】
具体的には、提供部３４は、制御装置１０２ＡのＩＰアドレスと、制御装置１０２Ａの機器種別情報と、「ＩＤ１」と、詳細情報である「Ａ宅における契約使用電力量情報」とが対応づけられて記憶部３１に記憶されている場合において、情報要求の送信元である機器のＩＰアドレスおよび機器種別情報が、制御装置１０２ＡのＩＰアドレスおよび機器種別情報と同一である場合、「ＩＤ１」が付与された要素情報を特定し、特定した要素情報に含まれる「Ａ宅における契約使用電力量情報」を情報要求の送信元である機器すなわち制御装置１０２Ａへ送信する。
【０３５５】
また、提供部３４は、制御装置１０２ＢのＩＰアドレスと、制御装置１０２Ｂの機器種別情報と、「ＩＤ２」と、詳細情報である「Ｂ宅における契約使用電力量情報」とが対応づけられて記憶部３１に記憶されている場合において、情報要求の送信元である機器のＩＰアドレスおよび機器種別情報が、制御装置１０２ＢのＩＰアドレスおよび機器種別情報と同一である場合、「ＩＤ２」が付与された要素情報を特定し、特定した要素情報に含まれる「Ｂ宅における契約使用電力量情報」を情報要求の送信元である機器すなわち制御装置１０２Ａへ送信する。
【０３５６】
［動作］
次に、本発明の第６の実施の形態に係る情報配信システムの動作について図面を用いて説明する。
【０３５７】
図１８は、本発明の第６の実施の形態に係る情報配信システムによる情報配信手順を定めたシーケンス図である。
【０３５８】
情報配信システム２０１における各装置は、コンピュータを備え、当該コンピュータにおけるＣＰＵ等の演算処理部は、以下のシーケンス図の各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【０３５９】
図１８を参照して、まず、管理サーバ１５１は、たとえば月別の契約使用電力量情報である各要素情報にＩＤを付与する（ステップＳ１６１）。
【０３６０】
ステップＳ１６２からステップＳ１７６までの動作は、動作主体を除き、図１４に示すステップＳ１０３〜ステップＳ１１７までの動作と同様であるため、ここでの詳細な説明は繰り返さない。
【０３６１】
なお、管理サーバ１５１は、ステップＳ１７１およびステップＳ１７６において、制御装置１０２のＩＰアドレス、制御装置１０２の機器種別情報、および、制御装置１０２により通知されたＩＤに加えて、さらに、制御装置１０２が設置されている家庭における契約使用電力量情報を示す詳細情報を対応づけて記憶する。
【０３６２】
次に、制御装置１０２Ａが、情報要求を管理サーバ１５１へ通知すると（ステップＳ１１７７）、管理サーバ１５１は、当該情報要求に対して電文解析を行うことにより、当該情報要求の送信元である機器のＩＰアドレス、および、送信元である機器の機器種別情報、すなわち制御装置１０２ＡのＩＰアドレスおよび機器種別情報を取得する。
【０３６３】
そして、管理サーバ１５１は、ステップＳ１７１において記憶した記憶内容を用いて、制御装置１０２ＡのＩＰアドレスおよび機器種別情報に対応づけられた「ＩＤ１」と、詳細情報とを特定する（ステップＳ１７８）。そして、管理サーバ１５１は、特定した「ＩＤ１」と詳細情報とを用いて、たとえば「ＩＤ１」が付与された「先々月における契約使用電力量情報」に含まれる「Ａ宅における契約使用電力量情報」を、情報要求応答として制御装置１０２Ａへ送信する（ステップＳ１７９）。
【０３６４】
次に、制御装置１０２Ｂが、情報要求を管理サーバ１５１へ通知すると（ステップＳ１８０）、管理サーバ１５１は、当該情報要求に対して電文解析を行うことにより、当該情報要求の送信元である機器のＩＰアドレス、および、送信元である機器の機器種別情報、すなわち制御装置１０２ＢのＩＰアドレスおよび機器種別情報を取得する。
【０３６５】
そして、管理サーバ１５１は、ステップＳ１７６において記憶した記憶内容を用いて、制御装置１０２ＢのＩＰアドレスおよび機器種別情報に対応づけられた「ＩＤ２」と、詳細情報とを特定する（ステップＳ１８１）。そして、管理サーバ１５１は、特定した「ＩＤ２」と詳細情報とを用いて、たとえば「ＩＤ２」が付与された「先月における契約使用電力量情報」に含まれる「Ｂ宅における契約使用電力量情報」を、情報要求応答として制御装置１０２Ｂへ送信する（ステップＳ１８２）。
【０３６６】
なお、上述した例では、管理サーバ１５１が制御装置１０２Ａ，１０２Ｂへ契約使用電力量情報を送信する場合について説明したが、管理サーバ１５１から送信される情報は他の種類の情報であってもよい。
【０３６７】
上記のように、本発明の第６の実施の形態に係る情報配信システム２０１における管理サーバ１５１では、記憶部３１が、制御装置１０２から通知された要素情報を指定するＩＤ、および制御装置１０２のＩＰアドレスおよび機器種別情報を、当該ＩＰアドレスおよび機器種別情報ごとに記憶する。提供部３４は、記憶部３１に記憶されたＩＤと、ＩＰアドレスと、機器種別情報とに基づいて、制御装置１０２が要求するインスタンスの要素情報を特定し、特定した要素情報を制御装置１０２へ提供する。
【０３６８】
このような構成により、制御装置１０２のＩＰアドレスおよび機器種別情報に対応するＩＤを確認することで、当該制御装置１０２が指定した要素情報がインスタンスにおける複数の要素情報のうちのいずれの要素情報であるかを正確に特定することができる。すなわち、各制御装置１０２が指定した要素情報と異なる要素情報が各制御装置１０２に提供されることを防ぐことができる。
【０３６９】
また、たとえば各制御装置１０２に対して新たな情報の設定を行う必要がないため、簡易な構成および処理の情報配信システム２０１を実現することができる。
【０３７０】
また、本発明の第６の実施の形態に係る情報配信システム２０１における管理サーバ１５１では、提供部３４は、制御装置１０２からの情報要求を受けると、記憶部３１に記憶されたＩＤと、制御装置１０２のＩＰアドレスおよび制御装置１０２の機器種別情報とを参照することにより、当該情報要求の送信元の制御装置１０２に対応する要素情報を特定し、特定した要素情報を制御装置１０２へ提供する。
【０３７１】
このような構成により、制御装置１０２が管理サーバ１５１に対して要素情報を指定した後に、当該制御装置１０２が当該管理サーバ１５１に対して情報要求を行う場合であっても、当該制御装置１０２が指定した要素情報を正確に特定し、提供することができる。
【０３７２】
（変形例）
なお、上述した本発明の第６の実施の形態に係る情報配信システム２０１では、管理サーバ１５１が、制御装置１０２Ａ，１０２Ｂに対して共通のインスタンスを生成する。しかしながら、このような形態に限定されず、管理サーバ１５１は、制御装置１０２Ａ，１０２Ｂごとに別々のインスタンスを生成してもよい。
【０３７３】
具体的には、管理サーバ１５１は、まず、制御装置１０２Ａから機器情報問合せを受信すると、当該機器情報問合せの送信元である機器のＩＰアドレスと、送信元である機器の機器種別情報とを取得する。
【０３７４】
そして、管理サーバ１５１は、自己が記憶している要素情報を用いて、取得したＩＰアドレスおよび機器種別情報を有する機器用のインスタンスを生成し、生成したインスタンスにインスタンスコード、たとえば「０Ｘ」を設定する。そして、管理サーバ１５１は、自己に付与されている機器種別コード、および、インスタンスコード「０Ｘ」を、機器情報応答として制御装置１０２Ａへ送信する。
【０３７５】
また、電気機器１６１は、制御装置１０２Ａ用に生成したインスタンスと、制御装置１０２ＡのＩＰアドレスおよび機器種別情報とを対応づけて記憶する。
【０３７６】
次に、管理サーバ１５１は、制御装置１０２Ｂから機器情報問合せを受信すると、当該機器情報問合せの送信元である機器のＩＰアドレスと、送信元である機器の機器種別情報とを取得する。
【０３７７】
そして、管理サーバ１５１は、自己が記憶しているプロパティ情報を用いて、取得したＩＰアドレスおよび機器種別情報を有する機器用のインスタンスを生成し、生成したインスタンスにインスタンスコード、たとえば「０Ｘ」を設定する。そして、電気機器１６１は、自己に付与されている機器種別コード、および、インスタンスコード「０Ｘ」を、機器情報応答として制御装置１０２Ｂへ送信する。
【０３７８】
また、電気機器１６１は、制御装置１０２Ｂ用に生成したインスタンスと、制御装置１０２ＢのＩＰアドレスおよび機器種別情報とを対応づけて記憶する。
【０３７９】
ここで、管理サーバ１５１は、制御装置１０２ＡのＩＰアドレスおよび機器種別情報と、この制御装置１０２Ａが設置されている家庭がＡ宅であることとを対応づけて記憶する。また、管理サーバ１５１は、制御装置１０２ＢのＩＰアドレスおよび機器種別情報と、この制御装置１０２Ｂが設置されている家庭がＢ宅であることとを対応づけて記憶する。
【０３８０】
この場合、管理サーバ１５１は、制御装置１０２Ａ用のインスタンスに、詳細情報として、たとえば「Ａ宅における先々月の契約使用電力量情報」、「Ａ宅における先月の契約使用電力量情報」および「Ａ宅における今月の契約使用電力量情報」を含めることができる。また、管理サーバ１５１は、制御装置１０２Ｂ用のインスタンスに、詳細情報として、たとえば「Ｂ宅における先々月の契約使用電力量情報」、「Ｂ宅における先月の契約使用電力量情報」および「Ｂ宅における今月の契約使用電力量情報」を含めることができる。
【０３８１】
次に、管理サーバ１５１は、制御装置１０２からインスタンスに含まれる任意の要素情報のＩＤの指定を受けると、当該指定を行った機器のＩＰアドレスおよび機器種別情報を取得し、取得したＩＰアドレスおよび機器種別情報と、通知されたＩＤとを対応づけて記憶する。
【０３８２】
たとえば、管理サーバ１５１は、制御装置１０２Ａから「ＩＤ１」の通知を受けると、制御装置１０２ＡのＩＰアドレスと、制御装置１０２Ａの機器種別情報と、制御装置１０２Ａから通知された「ＩＤ１」とを対応づけて記憶する。また、管理サーバ１５１は、制御装置１０２Ｂから「ＩＤ２」の通知を受けると、制御装置１０２ＢのＩＰアドレスと、制御装置１０２Ｂの機器種別情報と、制御装置１０２Ｂから通知された「ＩＤ２」とを対応づけて記憶する。
【０３８３】
次に、管理サーバ１５１は、制御装置１０２から情報要求を受けると、当該情報要求の送信元である機器のＩＰアドレス、および、送信元である機器の機器種別情報を取得する。そして、管理サーバ１５１は、記憶内容すなわちＩＰアドレスおよび機器種別情報と、インスタンスとの対応関係を用いて、当該情報要求の送信元である機器用のインスタンスを特定する。
【０３８４】
さらに、管理サーバ１５１は、ＩＰアドレスおよび機器種別情報とＩＤとの対応関係を用いて、当該情報要求の送信元である機器のＩＰアドレスおよび機器種別情報に対応するＩＤを特定する。そして、管理サーバ１５１は、特定したインスタンスおよびＩＤに基づいて、制御装置１０２へ送信すべき情報を特定し、特定した情報を制御装置１０２へ送信する。
【０３８５】
たとえば、管理サーバ１５１は、制御装置１０２Ａから情報要求を受けると、当該情報要求に含まれる制御装置１０２ＡのＩＰアドレスおよび機器種別情報に基づいて、制御装置１０２Ａ用のインスタンスを特定する。さらに、管理サーバ１５１は、当該情報要求に含まれる制御装置１０２ＡのＩＰアドレスおよび機器種別情報に基づいて、要素情報を指定するＩＤとして「ＩＤ１」を特定する。
【０３８６】
そして、管理サーバ１５１は、制御装置１０２Ａ用のインスタンスにおける「ＩＤ１」の詳細情報、たとえば「Ａ宅における先々月の契約使用電力量情報」を、情報要求応答として制御装置１０２Ａへ送信する。
【０３８７】
また、たとえば、管理サーバ１５１は、制御装置１０２Ｂから情報要求を受けると、当該情報要求に含まれる制御装置１０２ＢのＩＰアドレスおよび機器種別情報に基づいて、制御装置１０２Ｂ用のインスタンスを特定する。さらに、管理サーバ１５１は、当該情報要求に含まれる制御装置１０２ＢのＩＰアドレスおよび機器種別情報に基づいて、要素情報を指定するＩＤとして「ＩＤ２」を特定する。
【０３８８】
そして、管理サーバ１５１は、制御装置１０２Ｂ用のインスタンスにおける「ＩＤ２」の詳細情報、たとえば「Ｂ宅における先月の契約使用電力量情報」を、情報要求応答として制御装置１０２Ｂへ送信する。
【０３８９】
なお、管理サーバ１５１は、制御装置１０２へインスタンス全体の情報を送信してもよい。具体的には、管理サーバ１５１は、制御装置１０２Ａ用の「インスタンス０Ｘ」と、制御装置１０２Ｂ用の「インスタンス０Ｘ」とを生成したとする。
【０３９０】
この場合において、管理サーバ１５１は、制御装置１０２ＡからＩＤの指定を受けることなく、インスタンスコード「０Ｘ」の指定を受けると、制御装置１０２Ａ用の「インスタンス０Ｘ」を特定し、特定した制御装置１０２Ａ用の「インスタンス０Ｘ」全体の情報、たとえばＡ宅における先々月の契約使用電力量情報と、Ａ宅における先月の契約使用電力量情報と、Ａ宅における今月の契約使用電力量情報とを、制御装置１０２Ａへ送信することができる。
【０３９１】
また、上記の場合において、管理サーバ１５１は、制御装置１０２ＢからＩＤの指定を受けることなく、インスタンスコード「０Ｘ」の指定を受けると、制御装置１０２Ｂ用の「インスタンス０Ｘ」を特定し、特定した制御装置１０２Ｂ用の「インスタンス０Ｘ」全体の情報、たとえばＢ宅における先々月の契約使用電力量情報と、Ｂ宅における先月の契約使用電力量情報と、Ｂ宅における今月の契約使用電力量情報とを、制御装置１０２Ｂへ送信することができる。
【０３９２】
また、上述した例では、制御装置１０２によるＩＤの通知が行われた後に、当該制御装置１０２による情報要求の通知が行われる場合について説明したが、制御装置１０２は、ＩＤの通知に情報要求の通知を含めることが可能である。そして、管理サーバ１５１は、制御装置１０２から情報要求の通知が含まれるＩＤの通知を受けると、通知されたＩＤに対応する要素情報を、当該制御装置１０２へ送信する。
【０３９３】
上記のように、本発明の第６の実施の形態に係る情報配信システム２０１の変形例における管理サーバ１５１では、記憶部３１が、インスタンスと制御装置１０２のＩＰアドレスおよび機器種別情報との対応関係を記憶する。また、提供部３４が、記憶部３１に記憶された当該対応関係に基づいて、制御装置１０２が要求するインスタンスを特定し、特定したインスタンスを制御装置１０２へ提供する。
【０３９４】
このような構成により、制御装置１０２のＩＰアドレスおよび機器種別情報に対応するインスタンスを確認することで、当該制御装置１０２が指定したインスタンスを複数のインスタンスの中から正確に特定することができる。すなわち、各制御装置１０２が指定したインスタンスと異なるインスタンスが各制御装置１０２に提供されることを防ぐことができる。
【０３９５】
また、たとえば各制御装置１０２に対して新たな情報の設定を行う必要がないため、簡易な構成および処理の情報配信システム２０１を実現することができる。
【０３９６】
また、本発明の第６の実施の形態に係る情報配信システム２０１の変形例における管理サーバ１５１では、提供部３４は、制御装置１０２からの情報要求を受けると、記憶部３１に記憶された対応関係、すなわちインスタンスと制御装置１０２のＩＰアドレスおよび機器種別情報との対応関係を参照することにより、当該情報要求に含まれるＩＰアドレスおよび機器種別情報に基づいて、当該情報要求の送信元の制御装置１０２に対応するインスタンスを特定し、特定したインスタンスを制御装置１０２へ提供する。
【０３９７】
このような構成により、制御装置１０２が管理サーバ１５１に対してインスタンスに含まれる情報を指定した後に、当該制御装置１０２が当該管理サーバ１５１に対して情報要求を行う場合であっても、当該制御装置１０２が指定したインスタンスを正確に特定し、提供することができる。
【０３９８】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０３９９】
以上の説明は、以下に付記する特徴を含む。
【０４００】
［付記１］
複数の機器に対して、対象情報に含まれる１または複数の要素情報を提供可能な情報配信装置であって、
前記機器が前記情報配信装置に通知すべき前記対象情報の識別情報を、前記機器ごとに設定する設定部と、
前記設定部が設定した前記識別情報を、対応の前記機器へ通知する通知部と、
前記機器から通知された前記識別情報、および前記要素情報を指定する指定情報を、前記識別情報ごとに記憶する記憶部と、
前記記憶部に記憶された前記識別情報および前記指定情報に基づいて、前記機器が要求する前記対象情報の前記要素情報を特定し、特定した前記要素情報を前記機器へ提供する提供部とを備え、
前記情報配信装置は、電力計測を行うスマートメータ、宅内における電気機器または管理サーバであり、ＨＥＭＳ（Ｈｏｍｅ  Ｅｎｅｒｇｙ  Ｍａｎａｇｅｍｅｎｔ  Ｓｙｓｔｅｍ）において用いられる制御装置である前記機器へ、要素情報を提供可能である、情報配信装置。
【０４０１】
［付記２］
複数の機器に対して複数の対象情報を提供可能な情報配信装置であって、
前記機器が前記情報配信装置に通知すべき前記対象情報の識別情報を、前記機器ごとに設定する設定部と、
前記設定部が設定した前記識別情報を、対応の前記機器へ通知する通知部と、
前記機器から通知された前記識別情報を、前記機器ごとに記憶する記憶部と、
前記記憶部に記憶された前記識別情報に基づいて、前記機器が要求する前記対象情報を特定し、特定した前記対象情報を前記機器へ提供する提供部とを備え、
前記情報配信装置は、電力計測を行うスマートメータ、宅内における電気機器または管理サーバであり、ＨＥＭＳ（Ｈｏｍｅ  Ｅｎｅｒｇｙ  Ｍａｎａｇｅｍｅｎｔ  Ｓｙｓｔｅｍ）において用いられる制御装置である前記機器へ、要素情報を提供可能である、情報配信装置。
【０４０２】
［付記３］
複数の機器に対して、対象情報に含まれる１または複数の要素情報を提供可能な情報配信装置であって、
前記機器から通知された前記要素情報を指定する指定情報、および前記機器の識別情報を、前記識別情報ごとに記憶する記憶部と、
前記記憶部に記憶された前記指定情報および前記識別情報に基づいて、前記機器が要求する前記対象情報の前記要素情報を特定し、特定した前記要素情報を前記機器へ提供する提供部とを備え、
前記情報配信装置は、電力計測を行うスマートメータ、宅内における電気機器または管理サーバであり、ＨＥＭＳ（Ｈｏｍｅ  Ｅｎｅｒｇｙ  Ｍａｎａｇｅｍｅｎｔ  Ｓｙｓｔｅｍ）において用いられる制御装置である前記機器へ、要素情報を提供可能である、情報配信装置。
【０４０３】
［付記４］
複数の機器に対して複数の対象情報を提供可能な情報配信装置であって、
前記対象情報と前記機器の識別情報との対応関係を記憶する記憶部と、
前記記憶部に記憶された前記対応関係に基づいて、前記機器が要求する前記対象情報を特定し、特定した前記対象情報を前記機器へ提供する提供部とを備え、
前記情報配信装置は、電力計測を行うスマートメータ、宅内における電気機器または管理サーバであり、ＨＥＭＳ（Ｈｏｍｅ  Ｅｎｅｒｇｙ  Ｍａｎａｇｅｍｅｎｔ  Ｓｙｓｔｅｍ）において用いられる制御装置である前記機器へ、要素情報を提供可能である、情報配信装置。
【０４０４】
［付記５］
複数の機器と、
前記複数の機器に対して、対象情報に含まれる１または複数の要素情報を提供可能な情報配信装置とを備え、
前記情報配信装置は、前記機器が前記情報配信装置に通知すべき前記対象情報の識別情報を、前記機器ごとに設定し、設定した前記識別情報を、対応の前記機器へ通知し、
前記機器は、前記情報配信装置から通知された前記識別情報、および前記要素情報を指定する指定情報を前記情報配信装置へ通知し、
前記情報配信装置は、前記機器から通知された前記識別情報および前記指定情報を、前記識別情報ごとに記憶し、
前記情報配信装置は、記憶した前記識別情報および前記指定情報に基づいて、前記機器が要求する前記対象情報の前記要素情報を特定し、特定した前記要素情報を前記機器へ提供し、
前記情報配信装置は、電力計測を行うスマートメータ、宅内における電気機器または管理サーバであり、
前記機器は、ＨＥＭＳ（Ｈｏｍｅ  Ｅｎｅｒｇｙ  Ｍａｎａｇｅｍｅｎｔ  Ｓｙｓｔｅｍ）において用いられる制御装置である、情報配信システム。
【０４０５】
［付記６］
複数の機器と、
前記複数の機器に対して複数の対象情報を提供可能な情報配信装置とを備え、
前記情報配信装置は、前記機器が前記情報配信装置に通知すべき前記対象情報の識別情報を、前記機器ごとに設定し、設定した前記識別情報を、対応の前記機器へ通知し、
前記機器は、前記情報配信装置から通知された前記識別情報を前記情報配信装置へ通知し、
前記情報配信装置は、前記機器から通知された前記識別情報を、前記機器ごとに記憶し、
前記情報配信装置は、記憶した前記識別情報に基づいて、前記機器が要求する前記対象情報を特定し、特定した前記対象情報を前記機器へ提供し、
前記情報配信装置は、電力計測を行うスマートメータ、宅内における電気機器または管理サーバであり、
前記機器は、ＨＥＭＳ（Ｈｏｍｅ  Ｅｎｅｒｇｙ  Ｍａｎａｇｅｍｅｎｔ  Ｓｙｓｔｅｍ）において用いられる制御装置である、情報配信システム。
【０４０６】
［付記７］
複数の機器と、
前記複数の機器に対して、対象情報に含まれる１または複数の要素情報を提供可能な情報配信装置とを備え、
前記機器は、前記要素情報を指定する指定情報を前記情報配信装置へ通知し、
前記情報配信装置は、前記機器から通知された前記要素情報を指定する指定情報、および前記機器の識別情報を、前記識別情報ごとに記憶し、
前記情報配信装置は、前記記憶した前記指定情報および前記識別情報に基づいて、前記機器が要求する前記対象情報の前記要素情報を特定し、特定した前記要素情報を前記機器へ提供し、
前記情報配信装置は、電力計測を行うスマートメータ、宅内における電気機器または管理サーバであり、
前記機器は、ＨＥＭＳ（Ｈｏｍｅ  Ｅｎｅｒｇｙ  Ｍａｎａｇｅｍｅｎｔ  Ｓｙｓｔｅｍ）において用いられる制御装置である、情報配信システム。
【０４０７】
［付記８］
複数の機器と、
前記複数の機器に対して複数の対象情報を提供可能な情報配信装置とを備え、
前記情報配信装置は、前記対象情報と前記機器の識別情報との対応関係を記憶し、
前記機器は、前記対象情報を前記情報配信装置へ要求し、
前記情報配信装置は、記憶した前記対応関係に基づいて、前記機器が要求する前記対象情報を特定し、特定した前記対象情報を前記機器へ提供し、
前記情報配信装置は、電力計測を行うスマートメータ、宅内における電気機器または管理サーバであり、
前記機器は、ＨＥＭＳ（Ｈｏｍｅ  Ｅｎｅｒｇｙ  Ｍａｎａｇｅｍｅｎｔ  Ｓｙｓｔｅｍ）において用いられる制御装置である、情報配信システム。
【０４０８】
［付記９］
複数の機器と、前記複数の機器に対して、対象情報に含まれる１または複数の要素情報を提供可能な情報配信装置とを備える情報配信システムにおける情報配信方法であって、
前記情報配信装置が、前記機器が前記情報配信装置に通知すべき前記対象情報の識別情報を、前記機器ごとに設定するステップと、
前記情報配信装置が、設定した前記識別情報を、対応の前記機器へ通知するステップと、
前記機器が、前記情報配信装置から通知された前記識別情報、および前記要素情報を指定する指定情報を前記情報配信装置へ通知するステップと、
前記情報配信装置が、前記機器から通知された前記識別情報および前記指定情報を、前記識別情報ごとに記憶するステップと、
前記情報配信装置が、記憶した前記識別情報および前記指定情報に基づいて、前記機器が要求する前記対象情報の前記要素情報を特定し、特定した前記要素情報を前記機器へ提供するステップとを含み、
前記情報配信装置は、電力計測を行うスマートメータ、宅内における電気機器または管理サーバであり、
前記機器は、ＨＥＭＳ（Ｈｏｍｅ  Ｅｎｅｒｇｙ  Ｍａｎａｇｅｍｅｎｔ  Ｓｙｓｔｅｍ）において用いられる制御装置である、情報配信方法。
【０４０９】
［付記１０］
複数の機器と、前記複数の機器に対して複数の対象情報を提供可能な情報配信装置とを備える情報配信システムにおける情報配信方法であって、
前記情報配信装置が、前記機器が前記情報配信装置に通知すべき前記対象情報の識別情報を、前記機器ごとに設定するステップと、
前記情報配信装置が、設定した前記識別情報を、対応の前記機器へ通知するステップと、
前記機器が、前記情報配信装置から通知された前記識別情報を前記情報配信装置へ通知するステップと、
前記情報配信装置が、前記機器から通知された前記識別情報を、前記機器ごとに記憶するステップと、
前記情報配信装置が、記憶した前記識別情報に基づいて、前記機器が要求する前記対象情報を特定し、特定した前記対象情報を前記機器へ提供するステップとを含み、
前記情報配信装置は、電力計測を行うスマートメータ、宅内における電気機器または管理サーバであり、
前記機器は、ＨＥＭＳ（Ｈｏｍｅ  Ｅｎｅｒｇｙ  Ｍａｎａｇｅｍｅｎｔ  Ｓｙｓｔｅｍ）において用いられる制御装置である、情報配信方法。
【０４１０】
［付記１１］
複数の機器と、前記複数の機器に対して、対象情報に含まれる１または複数の要素情報を提供可能な情報配信装置とを備える情報配信システムにおける情報配信方法であって、
前記機器が、前記要素情報を指定する指定情報を前記情報配信装置へ通知するステップと、
前記情報配信装置が、前記機器から通知された前記要素情報を指定する指定情報、および前記機器の識別情報を、前記識別情報ごとに記憶するステップと、
前記情報配信装置が、記憶した前記指定情報および前記識別情報に基づいて、前記機器が要求する前記対象情報の前記要素情報を特定し、特定した前記要素情報を前記機器へ提供するステップとを含み、
前記情報配信装置は、電力計測を行うスマートメータ、宅内における電気機器または管理サーバであり、
前記機器は、ＨＥＭＳ（Ｈｏｍｅ  Ｅｎｅｒｇｙ  Ｍａｎａｇｅｍｅｎｔ  Ｓｙｓｔｅｍ）において用いられる制御装置である、情報配信方法。
【０４１１】
［付記１２］
複数の機器と、前記複数の機器に対して複数の対象情報を提供可能な情報配信装置とを備える情報配信システムにおける情報配信方法であって、
前記情報配信装置が、前記対象情報と前記機器の識別情報との対応関係を記憶するステップと、
前記機器が、前記対象情報を前記情報配信装置へ要求するステップと、
前記情報配信装置が、記憶した前記対応関係に基づいて、前記機器が要求する前記対象情報を特定し、特定した前記対象情報を前記機器へ提供するステップとを含み、
前記情報配信装置は、電力計測を行うスマートメータ、宅内における電気機器または管理サーバであり、
前記機器は、ＨＥＭＳ（Ｈｏｍｅ  Ｅｎｅｒｇｙ  Ｍａｎａｇｅｍｅｎｔ  Ｓｙｓｔｅｍ）において用いられる制御装置である、情報配信方法。
【０４１２】
［付記１３］
複数の機器に対して、対象情報に含まれる１または複数の要素情報を提供可能な情報配信装置において用いられる情報配信プログラムであって、
コンピュータに、
前記機器が前記情報配信装置に通知すべき前記対象情報の識別情報を、前記機器ごとに設定するステップと、
設定した前記識別情報を、対応の前記機器へ通知するステップと、
前記機器から通知された前記識別情報、および前記要素情報を指定する指定情報を、前記識別情報ごとに記憶するステップと、
記憶した前記識別情報および前記指定情報に基づいて、前記機器が要求する前記対象情報の前記要素情報を特定し、特定した前記要素情報を前記機器へ提供するステップとを実行させるためのプログラムであり、
前記情報配信装置は、電力計測を行うスマートメータ、宅内における電気機器または管理サーバであり、
前記機器は、ＨＥＭＳ（Ｈｏｍｅ  Ｅｎｅｒｇｙ  Ｍａｎａｇｅｍｅｎｔ  Ｓｙｓｔｅｍ）において用いられる制御装置である、情報配信プログラム。
【０４１３】
［付記１４］
複数の機器に対して複数の対象情報を提供可能な情報配信装置において用いられる情報配信プログラムであって、
コンピュータに、
前記機器が前記情報配信装置に通知すべき前記対象情報の識別情報を、前記機器ごとに設定するステップと、
設定した前記識別情報を、対応の前記機器へ通知するステップと、
前記機器から通知された前記識別情報を、前記機器ごとに記憶するステップと、
記憶した前記識別情報に基づいて、前記機器が要求する前記対象情報を特定し、特定した前記対象情報を前記機器へ提供するステップとを実行させるためのプログラムであり、
前記情報配信装置は、電力計測を行うスマートメータ、宅内における電気機器または管理サーバであり、
前記機器は、ＨＥＭＳ（Ｈｏｍｅ  Ｅｎｅｒｇｙ  Ｍａｎａｇｅｍｅｎｔ  Ｓｙｓｔｅｍ）において用いられる制御装置である、情報配信プログラム。
【０４１４】
［付記１５］
複数の機器に対して、対象情報に含まれる１または複数の要素情報を提供可能な情報配信装置において用いられる情報配信プログラムであって、
コンピュータに、
前記機器から通知された前記要素情報を指定する指定情報、および前記機器の識別情報を、前記識別情報ごとに記憶するステップと、
記憶した前記指定情報および前記識別情報に基づいて、前記機器が要求する前記対象情報の前記要素情報を特定し、特定した前記要素情報を前記機器へ提供するステップとを実行させるためのプログラムであり、
前記情報配信装置は、電力計測を行うスマートメータ、宅内における電気機器または管理サーバであり、
前記機器は、ＨＥＭＳ（Ｈｏｍｅ  Ｅｎｅｒｇｙ  Ｍａｎａｇｅｍｅｎｔ  Ｓｙｓｔｅｍ）において用いられる制御装置である、情報配信プログラム。
【０４１５】
［付記１６］
複数の機器に対して複数の対象情報を提供可能な情報配信装置において用いられる情報配信プログラムであって、
コンピュータに、
前記対象情報と前記機器の識別情報との対応関係を記憶するステップと、
記憶した前記対応関係に基づいて、前記機器が要求する前記対象情報を特定し、特定した前記対象情報を前記機器へ提供するステップとを実行させるためのプログラムであり、
前記情報配信装置は、電力計測を行うスマートメータ、宅内における電気機器または管理サーバであり、
前記機器は、ＨＥＭＳ（Ｈｏｍｅ  Ｅｎｅｒｇｙ  Ｍａｎａｇｅｍｅｎｔ  Ｓｙｓｔｅｍ）において用いられる制御装置である、情報配信プログラム。
【符号の説明】
【０４１６】
１１，２１  取得部
１２，２２，３１  記憶部
１３，２３，３２  設定部
１４，２４，３３  通知部
１５，２５，３４  提供部
１６，２６，３５  受信部
１０１  スマートメータ（情報配信装置）
１０２，１０２Ａ，１０２Ｂ  制御装置（機器）
１５１  管理サーバ（情報配信装置）
１６１  電気機器（情報配信装置）
２０１  情報配信システム
【図１】
0005846169.tif 000002
【図２】
0005846169.tif 000003
【図３】
0005846169.tif 000004
【図４】
0005846169.tif 000005
【図５】
0005846169.tif 000006
【図６】
0005846169.tif 000007
【図７】
0005846169.tif 000008
【図８】
0005846169.tif 000009
【図９】
0005846169.tif 000010
【図１０】
0005846169.tif 000011
【図１１】
0005846169.tif 000012
【図１２】
0005846169.tif 000013
【図１３】
0005846169.tif 000014
【図１４】
0005846169.tif 000015
【図１５】
0005846169.tif 000016
【図１６】
0005846169.tif 000017
【図１７】
0005846169.tif 000018
【図１８】
0005846169.tif 000019